(57)【特許請求の範囲】
【請求項１】
基本画質ＵＨＤ（Ｕｌｔｒａ  Ｈｉｇｈ  Ｄｅｆｉｎｉｔｉｏｎ）放送プログラムを構成するデータをエンコーディングすることによって基本階層ストリームを生成するステップと、
前記基本階層ストリームに基づく複数の拡張可能解像度情報をエンコーディングすることにより複数の向上階層ストリームを生成するステップであって、前記拡張可能解像度情報は、高画質ＵＨＤ放送プログラムを提供するために使用される、ステップと、
ＵＨＤ放送プログラムを構成するストリームのうち放送網を介して伝送されるストリームに関する情報を含む放送網プログラムメタデータ、及び、前記ＵＨＤ放送プログラムを構成する前記ストリームのうちＩＰ（Ｉｎｔｅｒｎｅｔ  Ｐｒｏｔｏｃｏｌ）網を介して伝送されるストリームに関する情報を含むＩＰ網プログラムメタデータを生成するステップであって、
前記放送網プログラムメタデータは、
前記基本階層ストリームと前記複数の向上階層ストリームとのうち前記放送網を介して伝送される各ストリームが、前記ＵＨＤ放送プログラムを構成するか否かを示す第１の組み合わせ情報と、
前記第１の組み合わせ情報によって、前記放送網を介して伝送されるストリームのうち前記ＵＨＤ放送プログラムを構成するストリームの組み合わせによって提供される解像度を示す第１の解像度情報と、を含み、
前記ＩＰ網プログラムメタデータは、
前記複数の向上階層ストリームのうち前記ＩＰ網を介して伝送される各ストリームが、前記ＵＨＤ放送プログラムを構成することを示す第２の組み合わせ情報と、
前記第２の組み合わせ情報によって、前記ＩＰ網を介して伝送されるストリームのうち前記ＵＨＤ放送プログラムを構成するストリームの組み合わせによって提供される解像度を示す第２の解像度情報と、を含み、
前記第１の組み合わせ情報は、前記第２の組み合わせ情報の値と異なる値を有し、
前記ＵＨＤ放送プログラムは、前記第１の組み合わせ情報と前記第２の組み合わせ情報とによって、前記ＵＨＤ放送プログラムを構成する前記ストリームのうち前記放送網を介して伝送される前記ストリームと、前記ＩＰ網を介して伝送される前記ストリームとの両方によって提供される解像度を有する、ステップと、
前記放送網を介して伝送される前記ストリームを放送パケットにパケット化するステップと、
前記ＩＰ網を介して伝送される前記ストリームをＩＰパケットにパケット化するステップと、
前記放送パケットを前記放送網を介して伝送するステップと、
前記ＩＰパケットを前記ＩＰ網を介して伝送するステップと、
を含む、高画質ＵＨＤ放送コンテンツ送信方法。
【請求項２】
前記放送網プログラムメタデータは、前記放送網を介して伝送される前記ストリームによって最終的に提供され得るＵＨＤ放送プログラムの種類を示すプログラムタイプ情報と、前記放送網を介して伝送される前記ストリームの個数を示す階層個数情報と、を含む、請求項１に記載の高画質ＵＨＤ放送コンテンツ送信方法。
【請求項３】
前記放送網プログラムメタデータは、前記放送網を介して伝送される前記ストリームを識別する放送ストリーム識別情報と、前記放送網を介して伝送される前記ストリームが使用するコーデックの種類を示す階層エンコーディングタイプ情報と、前記放送網を介して伝送される前記ストリームのパケット識別情報を示す放送ストリームパケット識別情報と、前記複数の拡張可能解像度情報のうち前記放送ストリーム識別情報によって識別される前記ストリームによって提供される拡張可能解像度情報を示す情報と、を含み、
前記複数の拡張可能解像度情報は、解像度情報、フレーム速度情報、ビット深度情報、クロマサブサンプリング情報、カラーガマット情報、及び、明るさ範囲情報を含む、請求項１に記載の高画質ＵＨＤ放送コンテンツ送信方法。
【請求項４】
前記ＩＰ網プログラムメタデータは、前記ＩＰ網を介して伝送される前記ストリームが拡張可能なコーデックを使用してエンコーディングされたか否かを示す拡張可能フラグ情報と、前記ＩＰ網を介して伝送される前記ストリームの個数を示すＩＰ網ストリーム個数情報と、を含む、請求項１に記載の高画質ＵＨＤ放送コンテンツ送信方法。
【請求項５】
前記ＩＰ網プログラムメタデータは、前記ＩＰ網を介して伝送される前記ストリームを識別するＩＰ網ストリーム識別情報と、前記ＩＰ網を介して伝送される前記ストリームのパケット識別情報を示すＩＰ網ストリームパケット識別情報と、前記ＩＰ網を介して伝送される前記ストリームの伝送経路に関する情報を示すインターネット接続情報と、を含み、
前記放送ストリーム識別情報は、前記ＩＰ網ストリーム識別情報の値と異なる値を有する、請求項３に記載の高画質ＵＨＤ放送コンテンツ送信方法。
【請求項６】
前記インターネット接続情報は、前記ＩＰ網を介して伝送される前記ストリームを受信できるＩＰアドレスのタイプを示すＩＰアドレスタイプ情報と、前記ＩＰアドレスタイプ情報によるＩＰアドレスタイプを有するＩＰアドレスを示すＩＰアドレス情報と、前記ＩＰ網を介して伝送される前記ストリームを受信できるＵＤＰポートナンバーを示すポートナンバー情報と、を含む、請求項５に記載の高画質ＵＨＤ放送コンテンツ送信方法。
【請求項７】
前記ＩＰ網プログラムメタデータは、前記ＩＰ網を除く他の網によって提供される付加データの伝送経路に関する情報を示すチャネル接続情報を含み、
前記チャネル接続情報は、前記付加データが伝送される網の種類を示す情報と、前記付加データを提供する提供者を識別する情報と、付加情報を伝送する伝送ストリームを識別する情報と、を含む、請求項１に記載の高画質ＵＨＤ放送コンテンツ送信方法。
【請求項８】
放送網とＩＰ（Ｉｎｔｅｒｎｅｔ  Ｐｒｏｔｏｃｏｌ）網とを介して、基本画質ＵＨＤ（Ｕｌｔｒａ  Ｈｉｇｈ  Ｄｅｆｉｎｉｔｉｏｎ）放送プログラムを構成する基本階層ストリーム、及び、高画質ＵＨＤ放送プログラムを提供するために使用される複数の拡張可能解像度情報を含む複数の向上階層ストリームを受信するよう構成される受信部であって、
前記受信部は、ＵＨＤ放送プログラムを構成するストリームのうち放送網を介して伝送されるストリームに関する情報を含む放送網プログラムメタデータ、及び、前記ＵＨＤ放送プログラムを構成する前記ストリームのうちＩＰ網を介して伝送されるストリームに関する情報を含むＩＰ網プログラムメタデータを受信し、
前記放送網プログラムメタデータは、
前記基本階層ストリームと前記複数の向上階層ストリームとのうち前記放送網を介して伝送される各ストリームが、前記ＵＨＤ放送プログラムを構成するか否かを示す第１の組み合わせ情報と、
前記第１の組み合わせ情報によって、前記放送網を介して伝送されるストリームのうち前記ＵＨＤ放送プログラムを構成するストリームの組み合わせによって提供される解像度を示す第１の解像度情報と、を含み、
前記ＩＰ網プログラムメタデータは、
前記複数の向上階層ストリームのうち前記ＩＰ網を介して伝送される各ストリームが、前記ＵＨＤ放送プログラムを構成することを示す第２の組み合わせ情報と、
前記第２の組み合わせ情報によって、前記ＩＰ網を介して伝送されるストリームのうち前記ＵＨＤ放送プログラムを構成するストリームの組み合わせによって提供される解像度を示す第２の解像度情報と、を含み、
前記第１の組み合わせ情報は、前記第２の組み合わせ情報の値と異なる値を有し、
前記ＵＨＤ放送プログラムは、前記第１の組み合わせ情報と前記第２の組み合わせ情報とによって、前記ＵＨＤ放送プログラムを構成する前記ストリームのうち前記放送網を介して伝送される前記ストリームと、前記ＩＰ網を介して伝送される前記ストリームとの両方によって提供される解像度を有する、受信部と、
前記第１の組み合わせ情報と前記第２の組み合わせ情報とによって、前記ＵＨＤ放送プログラムを構成する前記ストリームをデコーディングするよう構成されるデコーダと、
前記デコーディングされたストリームによって提供される前記ＵＨＤ放送プログラムを再生するよう構成される再生部と、
を含む、高画質ＵＨＤ放送コンテンツ受信装置。
【請求項９】
前記放送網プログラムメタデータは、前記放送網を介して伝送される前記ストリームによって最終的に提供され得るＵＨＤ放送プログラムの種類を示すプログラムタイプ情報と、前記放送網を介して伝送される前記ストリームの個数を示す階層個数情報と、を含む、請求項８に記載の高画質ＵＨＤ放送コンテンツ受信装置。
【請求項１０】
前記放送網プログラムメタデータは、前記放送網を介して伝送される前記ストリームを識別する放送ストリーム識別情報と、前記放送網を介して受信される前記ストリームが使用するコーデックの種類を示す階層エンコーディングタイプ情報と、前記放送網を介して伝送される前記ストリームのパケット識別情報を示す放送ストリームパケット識別情報と、前記複数の拡張可能解像度情報のうち前記放送ストリーム識別情報によって識別される前記ストリームによって提供される拡張可能解像度情報を示す情報と、を含み、
前記複数の拡張可能解像度情報は、解像度情報、フレーム速度情報、ビット深度情報、クロマサブサンプリング情報、カラーガマット情報、及び、明るさ範囲情報を含む、請求項８に記載の高画質ＵＨＤ放送コンテンツ受信装置。
【請求項１１】
前記ＩＰ網プログラムメタデータは、前記ＩＰ網を介して伝送される前記ストリームが拡張可能なコーデックを使用してエンコーディングされたか否かを示す拡張可能フラグ情報と、前記ＩＰ網を介して伝送される前記ストリームの個数を示すＩＰ網ストリーム個数情報と、を含む、請求項８に記載の高画質ＵＨＤ放送コンテンツ受信装置。
【請求項１２】
前記ＩＰ網プログラムメタデータは、前記ＩＰ網を介して伝送される前記ストリームを識別するＩＰ網ストリーム識別情報と、前記ＩＰ網を介して伝送される前記ストリームのパケット識別情報を示すＩＰ網ストリームパケット識別情報と、前記ＩＰ網を介して伝送される前記ストリームの伝送経路に関する情報を示すインターネット接続情報と、を含み、
前記放送ストリーム識別情報は、前記ＩＰ網ストリーム識別情報の値と異なる値を有する、請求項１０に記載の高画質ＵＨＤ放送コンテンツ受信装置。
【請求項１３】
前記インターネット接続情報は、前記ＩＰ網を介して伝送される前記ストリームを受信できるＩＰアドレスのタイプを示すＩＰアドレスタイプ情報と、前記ＩＰアドレスタイプ情報によるＩＰアドレスタイプを有するＩＰアドレスを示すＩＰアドレス情報と、前記ＩＰ網を介して伝送される前記ストリームを受信できるＵＤＰポートナンバーを示すポートナンバー情報と、を含む、請求項１２に記載の高画質ＵＨＤ放送コンテンツ受信装置。
【請求項１４】
前記ＩＰ網プログラムメタデータは、前記ＩＰ網を除く他の網によって提供される付加データの伝送経路に関する情報を示すチャネル接続情報を含み、
前記チャネル接続情報は、前記付加データが伝送される網の種類を示す情報と、前記付加データを提供する提供者を識別する情報と、付加情報を伝送する伝送ストリームを識別する情報と、を含む、請求項８に記載の高画質ＵＨＤ放送コンテンツ受信装置。
【発明の詳細な説明】
【技術分野】
【０００１】
本発明は、放送システムに係り、より詳細には、デジタル放送システムで高画質ＵＨＤ放送コンテンツを送受信する方法及び／又は装置に関する。
【背景技術】
【０００２】
デジタル技術及び通信技術の発展に伴い、放送、映画のみならず、インターネット及び個人メディアなどの様々な領域でオーディオ／ビデオ中心のマルチメディアコンテンツの普及及び需要が急増している。さらに、放送及び映画を介して立体感を提供する３ＤＴＶ／３Ｄ映画が普遍するにつれて、現実感と臨場感を提供する実感メディアに対する消費者の要求が増加している。また、ディスプレイ技術の発展と共に、家庭でのＴＶ画面が大型化されるにつれて、ＨＤ級以上の高画質に実感のあるコンテンツを楽しもうとする消費が増加している。これによって、Ｐｏｓｔ−ＨＤＴＶ市場に備えて、３ＤＴＶと共にＵＨＤＴＶ（Ｕｌｔｒａ  Ｈｉｇｈ  Ｄｅｆｉｎｉｔｉｏｎ  ＴＶ）のような実感放送が次世代放送サービスとして関心を受けており、特に、ＵＨＤ（Ｕｌｔｒａ  Ｈｉｇｈ  Ｄｅｆｉｎｉｔｉｏｎ）放送サービスに対する議論が増加している趨勢である。
【０００３】
ＵＨＤ放送コンテンツは、ＳＤ又はＨＤ放送コンテンツよりも高画質のコンテンツを提供するので、伝送しなければならないデータ量が比較的多い。このようなＵＨＤ放送コンテンツの伝送において、現在、地上波は、８−ＶＳＢ変調方式を用いるので、最大１９．３９Ｍｂｐｓまでデータを伝送することができ、ケーブルは、Ｊ．８３ｂ方式を用いて３８．８Ｍｂｐｓまでデータを伝送することができる。すなわち、単純に計算したとき、基本的なＵＨＤサービスを地上波放送網あるいはケーブル網を介して伝送する場合、約２０Ｍｂｐｓが予想される。したがって、基本的なＵＨＤサービスではなく高画質ＵＨＤサービスを提供するためには、追加チャネルが割り当てられたり伝送方式が変わらなければならないという問題が存在する。
【０００４】
また、マルチメディアサービス環境は、様々な帯域幅、プロトコル及びＱｏＳ（Ｑｕａｌｉｔｙ  ｏｆ  Ｓｅｒｖｉｃｅ）を有する異種網（３Ｇ／ＬＴＥ、ワイファイ、有線ＬＡＮ、地上波放送網、ケーブル網）が混在しており、ユーザ端末（ＴＶ、デスクトップ、ノートパソコン、タブレットＰＣ、スマートフォン）の性能及び接近性の差が拡大されている。このような環境でマルチメディアコンテンツを接近／消費するためには、様々なネットワーク及びユーザ環境に対応するためのビデオ符号化方式が要求される。
【発明の概要】
【発明が解決しようとする課題】
【０００５】
本発明が達成しようとする課題は、上述した問題点を解決するためのもので、地上波放送網及び／又はインターネット網を介して高画質ＵＨＤ放送コンテンツを送受信する方法及び／又は装置を提供することである。
【０００６】
さらに、本発明が達成しようとする課題は、拡張可能な（ｓｃａｌａｂｌｅ）コーデックを使用してエンコーディングされた高画質ＵＨＤ放送コンテンツを送受信する方法及び／又は装置を提供することである。
【０００７】
さらに、本発明が達成しようとする課題は、拡張可能なコーデックを使用してエンコーディングされた高画質ＵＨＤ放送コンテンツに関する情報をシグナリングする方法を提供することである。
【課題を解決するための手段】
【０００８】
本発明の一実施例に係る高画質ＵＨＤ放送コンテンツ送信方法は、基本画質ＵＨＤ放送プログラムを構成する基本階層のデータをエンコーディングするステップ、前記基本階層のデータをベースとして高画質ＵＨＤ放送プログラムを提供するために必要な付加情報を含む１つ以上の向上階層のデータをエンコーディングするステップ、放送網を介して伝送される高画質ＵＨＤ放送プログラムに対する情報を含む放送網プログラムメタデータ、及びＩＰ網を介して伝送される高画質ＵＨＤ放送プログラムに対する情報を含むＩＰ網プログラムメタデータをエンコーディングするステップ、前記エンコーディングされた基本階層のデータ及び／又は前記１つ以上の向上階層のうち第１向上階層のデータを放送パケットにパケット化するステップ、前記エンコーディングされた前記１つ以上の向上階層のうち第２向上階層のデータをＩＰパケットにパケット化するステップ、前記放送パケットを放送網を介して伝送するステップ、及び前記ＩＰパケットをＩＰ網を介して伝送するステップを含む。
【０００９】
好ましくは、前記放送網プログラムメタデータは、放送網を介して伝送される階層のデータによって最終的に提供され得るＵＨＤ放送プログラムの種類を示すプログラムタイプ情報、放送網を介して伝送される階層の個数を示す階層個数情報、放送網を介して伝送される階層組み合わせの個数を示す階層組み合わせ個数情報、及び放送網を介して伝送される階層の組み合わせ情報を示す階層組み合わせタイプ情報のうち少なくともいずれか１つを含む。
【００１０】
好ましくは、前記放送網プログラムメタデータは、放送網を介して伝送される各階層を識別する階層識別情報、放送網を介して伝送される各階層で使用するコーデックの種類を示す階層エンコーディングタイプ情報、放送網を介して伝送される各階層のデータが含まれた単位ストリームのパケット識別情報を示す階層単位ストリームパケット識別情報、及び放送網を介して伝送される各階層で同時に提供できる拡張可能な（ｓｃａｌａｂｌｅ）項目を示す拡張可能タイプ情報のうち少なくともいずれか１つを含む。
【００１１】
好ましくは、前記ＩＰ網プログラムメタデータは、ＩＰ網を介して伝送される階層のデータが拡張可能な（ｓｃａｌａｂｌｅ）コーデックでエンコーディングされたか否かを示す拡張可能フラグ情報、ＩＰ網を介して伝送される階層の個数を示すＩＰ網階層個数情報、ＩＰ網を介して伝送される階層組み合わせの個数を示すＩＰ網階層組み合わせ個数情報、及びＩＰ網を介して伝送される階層の組み合わせ情報を示すＩＰ網階層組み合わせタイプ情報のうち少なくともいずれか１つを含む。
【００１２】
好ましくは、前記ＩＰ網プログラムメタデータは、ＩＰ網を介して伝送される各階層を識別するＩＰ網階層識別情報、ＩＰ網を介して伝送される各階層のデータが含まれた単位ストリームのパケット識別情報を示すＩＰ網単位ストリームパケット識別情報、及びＩＰ網を介して伝送される各階層のデータの伝送経路に対する情報を示すインターネット接続情報のうち少なくともいずれか１つを含む。
【００１３】
好ましくは、前記インターネット接続情報は、ＩＰ網を介して伝送される各階層のデータを受信できるＩＰアドレスのタイプを示すＩＰアドレスタイプ情報、前記ＩＰアドレスタイプ情報によるＩＰアドレスタイプを有するＩＰアドレスを示すＩＰアドレス情報、及びＩＰ網を介して伝送される各階層のデータを受信できるＵＤＰポートナンバーを示すポートナンバー情報のうち少なくともいずれか１つを含む。
【００１４】
好ましくは、前記放送網プログラムメタデータ及び前記ＩＰ網プログラムメタデータは、ディスクリプタの形態でＰＭＴ、ＳＤＴ、ＥＩＴ、ＴＶＣＴまたはＣＶＣＴに含まれて伝送される。
【００１５】
本発明の更に他の一実施例に係る高画質ＵＨＤ放送コンテンツ受信装置は、放送網を介して、基本画質ＵＨＤ放送プログラムを構成する基本階層のデータ、及び／又は前記基本階層のデータをベースとして高画質ＵＨＤ放送プログラムを提供するために必要な付加情報を含む１つ以上の向上階層のうち第１向上階層のデータを受信する第１受信部であって、放送網を介して伝送される高画質ＵＨＤ放送プログラムに対する情報を含む放送網プログラムメタデータ、及びＩＰ網を介して伝送される高画質ＵＨＤ放送プログラムに対する情報を含むＩＰ網プログラムメタデータを受信する、第１受信部、ＩＰ網を介して、前記１つ以上の向上階層のうち第２向上階層のデータを受信する第２受信部、前記第１受信部によって受信された前記基本階層のデータ及び／又は第１向上階層のデータをデコーディングする第１デコーダ、前記第２受信部によって受信された前記第２向上階層のデータをデコーディングする第２デコーダ、及び前記デコーディングされた基本階層のデータ及び１つ以上の向上階層のデータによって提供される高画質ＵＨＤ放送プログラムを再生する再生部を含む。
【００１６】
好ましくは、前記放送網プログラムメタデータは、放送網を介して受信される階層のデータによって最終的に提供され得るＵＨＤ放送プログラムの種類を示すプログラムタイプ情報、放送網を介して受信される階層の個数を示す階層個数情報、放送網を介して受信される階層組み合わせの個数を示す階層組み合わせ個数情報、及び放送網を介して受信される階層の組み合わせ情報を示す階層組み合わせタイプ情報のうち少なくともいずれか１つを含む。
【００１７】
好ましくは、前記放送網プログラムメタデータは、放送網を介して受信される各階層を識別する階層識別情報、放送網を介して受信される各階層で使用するコーデックの種類を示す階層エンコーディングタイプ情報、放送網を介して受信される各階層のデータが含まれた単位ストリームのパケット識別情報を示す階層単位ストリームパケット識別情報、及び放送網を介して受信される各階層で同時に提供できる拡張可能な（ｓｃａｌａｂｌｅ）項目を示す拡張可能タイプ情報のうち少なくともいずれか１つを含む。
【００１８】
好ましくは、前記ＩＰ網プログラムメタデータは、ＩＰ網を介して受信される階層のデータが拡張可能な（ｓｃａｌａｂｌｅ）コーデックでエンコーディングされたか否かを示す拡張可能フラグ情報、ＩＰ網を介して受信される階層の個数を示すＩＰ網階層個数情報、ＩＰ網を介して受信される階層組み合わせの個数を示すＩＰ網階層組み合わせ個数情報、及びＩＰ網を介して受信される階層の組み合わせ情報を示すＩＰ網階層組み合わせタイプ情報のうち少なくともいずれか１つを含む。
【００１９】
好ましくは、前記ＩＰ網プログラムメタデータは、ＩＰ網を介して受信される各階層を識別するＩＰ網階層識別情報、ＩＰ網を介して受信される各階層のデータが含まれた単位ストリームのパケット識別情報を示すＩＰ網単位ストリームパケット識別情報、及びＩＰ網を介して受信される各階層のデータの伝送経路に対する情報を示すインターネット接続情報のうち少なくともいずれか１つを含む。
【００２０】
好ましくは、前記インターネット接続情報は、ＩＰ網を介して受信される各階層のデータを獲得できるＩＰアドレスのタイプを示すＩＰアドレスタイプ情報、前記ＩＰアドレスタイプ情報によるＩＰアドレスタイプを有するＩＰアドレスを示すＩＰアドレス情報、及びＩＰ網を介して受信される各階層のデータを獲得できるＵＤＰポートナンバーを示すポートナンバー情報のうち少なくともいずれか１つを含む。
【００２１】
好ましくは、前記放送網プログラムメタデータ及び前記ＩＰ網プログラムメタデータは、ディスクリプタの形態でＰＭＴ、ＳＤＴ、ＥＩＴ、ＴＶＣＴまたはＣＶＣＴに含まれて受信される。
【発明の効果】
【００２２】
本発明によれば、高画質ＵＨＤ放送コンテンツを地上波放送網及び／又はインターネット網を介して送受信することができる効果がある。
【００２３】
本発明によれば、高画質ＵＨＤ放送コンテンツの伝送するために、既存の地上波放送網又はケーブル網と共に、インターネット網を追加的に用いることによって、限定された帯域幅の限界を克服することができる効果がある。
【００２４】
本発明によれば、インターネット網の使用によって帯域幅の限界を克服することによって、解像度のみが拡張されたＵＨＤコンテンツではなく、全般的な性能が向上した高画質ＵＨＤコンテンツを提供することができる効果がある。
【００２５】
本発明によれば、高画質ＵＨＤ放送コンテンツを複数の層に階層化して階層別に送受信することができる効果がある。
【００２６】
本発明によれば、高画質ＵＨＤ放送コンテンツを階層別に送信することによって、様々な端末機器で高画質ＵＨＤ放送コンテンツを受信／再生することができる効果がある。
【図面の簡単な説明】
【００２７】
【図１】本発明の一実施例に係る高画質ＵＨＤ放送コンテンツ（ａｄｖａｎｃｅｄ  ＵＨＤ放送コンテンツ）を地上波放送網又はケーブル網を介して送受信する方法を示す図である。
【図２】本発明の一実施例に係る高画質ＵＨＤ放送コンテンツを既存の放送網（地上波放送網又はケーブル網）及びＩＰ網を介して送受信する方法を示す図である。
【図３】本発明の一実施例に係る高画質ＵＨＤ放送コンテンツ及びｅｓｓｅｎｔｉａｌ ＵＨＤ放送コンテンツが、それぞれＩＰ網及び既存の放送網（地上波放送網又はケーブル網）を介して独立して送受信される方法を示す図である。
【図４】本発明の一実施例に係る拡張可能なＵＨＤサービス（ｓｃａｌａｂｌｅ  ＵＨＤ  ｓｅｒｖｉｃｅ）を構成する方法を示す図である。
【図５】本発明の一実施例に係る高画質ＵＨＤ放送コンテンツ送信装置を示す図である。
【図６】本発明の一実施例に係るＩＰパケットの階層構造を示す図である。
【図７】本発明の一実施例に係る高画質ＵＨＤ放送コンテンツが階層化され、既存の放送網（地上波放送網又はケーブル網）及びＩＰ網を介して伝送される場合に、高画質ＵＨＤ放送コンテンツ受信装置を示す図である。
【図８】本発明の一実施例に係る高画質ＵＨＤ放送コンテンツが単一階層のストリームで伝送される場合に、高画質ＵＨＤ放送コンテンツ受信装置を示す図である。
【図９】本発明の一実施例に係る放送網プログラムメタデータを含む放送網プログラムディスクリプタ（ＵＨＤ  ｐｒｏｇｒａｍ  ｄｅｓｃｒｉｐｔｏｒ）のシンタックス（ｓｙｎｔａｘ）を示す図である。
【図１０】本発明の一実施例に係る放送網プログラムディスクリプタがＰＭＴに含まれる場合に、放送網プログラムディスクリプタが含む情報を示す図である。
【図１１】本発明の一実施例に係る階層組み合わせ（ｌａｙｅｒ  ｃｏｍｂｉｎａｔｉｏｎ）と、階層組み合わせによって提供される放送プログラムの個数に対する関係を示す図である。
【図１２】本発明の一実施例に係る階層プログラムタイプ情報（ｂａｓｅ_ｌａｙｅｒ_ｐｒｏｇｒａｍ_ｔｙｐｅ）が示すＵＨＤ放送プログラムの種類を示す図である。
【図１３】本発明の一実施例に係る拡張可能タイプ情報（ｓｃａｌａｂｌｅ_ｔｙｐｅ）を示す図である。
【図１４】本発明の一実施例に係る階層組み合わせタイプ情報（ｌａｙｅｒ_ｃｏｍｂｉｎａｔｉｏｎ_ｔｙｐｅ）を示す図である。
【図１５】本発明の一実施例に係る階層組み合わせ個数情報（ｎｕｍ_ｌａｙｅｒ_ｃｏｍｂｉｎａｔｉｏｎ）が追加された放送網プログラムメタデータを含む放送網プログラムディスクリプタのシンタックスを示す図である。
【図１６】本発明の更に他の一実施例に係る階層組み合わせ（ｌａｙｅｒ  ｃｏｍｂｉｎａｔｉｏｎ）と、階層組み合わせによって提供される放送プログラムの個数に対する関係を示す図である。
【図１７】本発明の一実施例に係るＩＰ網プログラムメタデータを含むＩＰ網プログラムディスクリプタ（ｅｎｈａｎｃｅｍｅｎｔ  ｐｒｏｇｒａｍ  ｄｅｓｃｒｉｐｔｏｒ）のシンタックスを示す図である。
【図１８】本発明の一実施例に係る階層経路情報（ｌａｙｅｒ_ｐａｔｈ）が示す値による意味を示す図である。
【図１９】本発明の一実施例に係る広域明るさ範囲領域（Ｈｉｇｈ  Ｄｙｎａｍｉｃ  Ｒａｎｇｅ；ＨＤＲ）を示す図である。
【図２０】本発明の一実施例に係るインターネット接続情報（ｉｐ_ｌｉｎｋａｇｅ_ｉｎｆｏ）のシンタックスを示す図である。
【図２１】本発明の一実施例に係るＩＰアドレスタイプ情報（ＩＰ_ａｄｄｒｅｓｓ_ｔｙｐｅ）を示す図である。
【図２２】本発明の一実施例に係るＰＭＴ（Ｐｒｏｇｒａｍ  Ｍａｐ  Ｔａｂｌｅ）のシンタックスを示す図である。
【図２３】本発明の一実施例に係るＳＤＴ（Ｓｅｒｖｉｃｅ  Ｄｅｓｃｒｉｐｔｉｏｎ  Ｔａｂｌｅ）のシンタックスを示す図である。
【図２４】本発明の一実施例に係るＥＩＴ（Ｅｖｅｎｔ  Ｉｎｆｏｒｍａｔｉｏｎ  Ｔａｂｌｅ）のシンタックスを示す図である。
【図２５】本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）のシンタックスを示す図である。
【図２６】本発明の一実施例に係るＣＶＣＴ（Ｃａｂｌｅ  Ｖｉｒｔｕａｌ  Ｃｈａｎｎｅｌ  Ｔａｂｌｅ）のシンタックスを示す図である。
【図２７】本発明の一実施例に係る高画質ＵＨＤ放送コンテンツの送信方法を示す図である。
【発明を実施するための形態】
【００２８】
以下、添付の図面及び添付の図面に記載された内容を参照して本発明の実施例を詳細に説明するが、本発明が、実施例によって制限又は限定されるものではない。
【００２９】
本発明で使用される用語は、本発明における機能を考慮した上、できるだけ現在広く使用されている一般的な用語を選択したが、これは、当該分野に従事する技術者の意図、慣例又は新しい技術の出現などによって変わり得る。また、特定の場合、出願人が任意に選定した用語もあり、その場合には、該当する発明の説明の部分でその意味を記載する。したがって、本発明で使用される用語は、単純な用語の名称ではなく、その用語が持つ意味と本発明の全般にわたる内容に基づいて解釈されなければならないということは明らかである。
【００３０】
本発明に対する理解と説明の便宜のために、用語及び略語に対して、下記のように定義する。
【００３１】
ＵＨＤ ＴＶ（Ｕｌｔｒａ  Ｈｉｇｈ  Ｄｅｆｉｎｉｔｉｏｎ  ＴＶ）は、フルＨＤ放送より４倍以上画質が鮮明な放送を意味する。ＨＤ級は人の毛穴が不鮮明に見えるのに比べて、ＵＨＤ級は毛穴だけでなく子供の綿毛まで見ることができる。
【００３２】
Ｅｓｓｅｎｔｉａｌ ＵＨＤは、後述するＡｄｖａｎｃｅｄ ＵＨＤと比較した相対的な画質を意味するもので、基本的な画質を提供するＵＨＤを意味する。Ｅｓｓｅｎｔｉａｌ ＵＨＤは基本画質ＵＨＤと命名することができる。
【００３３】
Ａｄｖａｎｃｅｄ ＵＨＤは、前述したＥｓｓｅｎｔｉａｌ ＵＨＤと比較して向上した解像度、フレーム速度、カラーガマットなどを有するＵＨＤを意味する。Ａｄｖａｎｃｅｄ ＵＨＤは高画質ＵＨＤと命名することができる。
【００３４】
ＨＥＶＣ（Ｈｉｇｈ  Ｅｆｆｉｃｉｅｎｃｙ  Ｖｉｄｅｏ  Ｃｏｄｉｎｇ）は、既存のＨ．２６４／ＭＰＥＧ−４ ＡＶＣ技術と比較して約２倍高い圧縮率を有する上、同一のビデオ品質を提供する高効率ビデオコーディング標準である。
【００３５】
ＳＨＶＣ（Ｓｃａｌａｂｌｅ  ＨＥＶＣ）は、上述したＨＥＶＣ圧縮技術に拡張可能性（Ｓｃａｌａｂｉｌｉｔｙ）を追加したビデオコーディング技術である。
【００３６】
ＴＳ（Ｔｒａｎｓｐｏｒｔ  Ｓｔｒｅａｍ）は、ＭＰＥＧ ｔｒａｎｓｐｏｒｔ ｓｔｒｅａｍの略語であって、オーディオ、ビデオ、データ伝送のための通信プロトコルを意味する。ＴＳはトランスポートストリームと命名することができる。
【００３７】
ＶＳＢ（Ｖｅｓｔｉｇｉａｌ  Ｓｉｄｅ  Ｂａｎｄ）は、電波の変調方式の一つに該当し、米国のデジタルＴＶ伝送方式の標準である。周波数帯域の活用性が高いので、視聴領域を最大限拡大し、アナログ信号との干渉を最小化することができるので、高画質デジタル放送に有利である。
【００３８】
ＱＡＭ（Ｑｕａｄｒａｔｕｒｅ  Ａｍｐｌｉｔｕｄｅ  Ｍｏｄｕｌａｔｉｏｎ）は、電波の変調方式の一つに該当し、振幅と位相の組み合わせを用いた変調方式である。
【００３９】
ＰＣＲ（Ｐｒｏｇｒａｍ  Ｃｌｏｃｋ  Ｒｅｆｅｒｅｎｃｅ）は、データを圧縮して伝送する場合、システムで使用する基準時間情報を意味する。
【００４０】
ＤＴＳ（Ｄｅｃｏｄｉｎｇ  Ｔｉｍｅ  Ｓｔａｍｐ）は、映像信号と音声信号を圧縮して伝送する場合、受信機で映像と音声が一致しないことを防止するために、復号する時間を指定する情報を意味する。
【００４１】
ＰＴＳ（Ｐｒｅｓｅｎｔａｔｉｏｎ  Ｔｉｍｅ  Ｓｔａｍｐ）は、映像信号と音声信号を圧縮して伝送する場合、受信機で映像や音声信号を復号した後、出力する時間を指定する情報を意味する。
【００４２】
ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）は、デジタルＴＶに伝送されるプログラム及びデータとＴＶ受信に必要な様々な情報を記述するためにＤＶＢで作った規格である。
【００４３】
ＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）は、デジタルＴＶに伝送されるプログラム及びデータとＴＶ受信に必要な様々な情報を記述するためにＡＴＳＣで作った規格である。
【００４４】
ＲＴＰ（Ｒｅａｌ−ｔｉｍｅ  Ｔｒａｎｓｐｏｒｔ  Ｐｒｏｔｏｃｏｌ）は、リアルタイムで音声や映像を送受信するための伝送階層通信規約である。
【００４５】
ＵＤＰ（Ｕｓｅｒ  Ｄａｔａｇｒａｍ  Ｐｒｏｔｏｃｏｌ）は、インターネットで情報をやりとりする際、互いにやりとりする形式ではなく、片方から一方的に送る方式の通信プロトコルである。
【００４６】
ＩＰ（Ｉｎｔｅｒｎｅｔ  Ｐｒｏｔｏｃｏｌ）は、インターネット上の一方のコンピュータから他方のコンピュータにデータを送るのに使用されるプロトコルである。
【００４７】
図１は、本発明の一実施例に係る高画質ＵＨＤ放送コンテンツ（ａｄｖａｎｃｅｄ  ＵＨＤ放送コンテンツ）を、地上波放送網又はケーブル網を介して送受信する方法を示す図である。
【００４８】
本発明の一実施例に係る高画質ＵＨＤ放送コンテンツを地上波放送網又はケーブル網を介して送受信する方法は、基本画質ＵＨＤデータ（Ｅｓｓｅｎｔｉａｌ  ＵＨＤデータ）（Ｓ１０１０）をエンコーディングする段階（Ｓ１０２０）、高画質ＵＨＤデータ（Ａｄｖａｎｃｅｄ  ＵＨＤデータ）（Ｓ１０３０）をエンコーディングする段階（Ｓ１０４０）、多重化段階（Ｓ１０５０）、変調段階（Ｓ１０６０）、復調段階（Ｓ１０７０）、逆多重化段階（Ｓ１０８０）、基本画質ＵＨＤデータをデコーディングする段階（Ｓ１０９０）、高画質ＵＨＤデータをデコーディングする段階（Ｓ１１００）、デコーディングされた基本画質ＵＨＤデータを再生する段階（Ｓ１１１０）及び／又はデコーディングされた高画質ＵＨＤデータを再生する段階（Ｓ１１２０）を含む。
【００４９】
基本画質ＵＨＤデータ（Ｓ１０１０）は、基本仕様を有するＵＨＤコンテンツを構成するデータを意味する。
【００５０】
高画質ＵＨＤデータ（Ｓ１０３０）は、高画質ＵＨＤコンテンツを構成するデータを意味する。すなわち、上述した基本画質ＵＨＤデータより向上した画質を有するＵＨＤデータを意味し得る。
【００５１】
基本画質ＵＨＤデータをエンコーディングする段階（Ｓ１０２０）で、基本画質ＵＨＤデータはＨＥＶＣ方式によりエンコーディングすることができる。
【００５２】
高画質ＵＨＤデータをエンコーディングする段階（Ｓ１０４０）で、高画質ＵＨＤデータはＳＨＶＣ方式によりエンコーディングすることができる。ここで、高画質ＵＨＤデータをエンコーディングする過程で基本画質ＵＨＤデータが参照されてもよい。
【００５３】
多重化する段階（Ｓ１０５０）で、基本画質ＵＨＤデータ及び高画質ＵＨＤデータは一つのトランスポートストリームに多重化されてもよい。ここで、トランスポートパケットが使用されない場合には、トランスポートストリームに多重化する段階（Ｓ１０５０）が省略されるか、または他の段階で代替されてもよい。例えば、ＵＨＤデータが、既存の放送網ではなくＩＰ網を介して伝送される場合には、上述した多重化する段階（Ｓ１０５０）は省略されるか、または他の段階で代替されてもよい。
【００５４】
変調する段階（Ｓ１０６０）で、トランスポートストリームに多重化されたＵＨＤデータは、様々な変調方法により変調されて受信端に伝送されてもよい。
【００５５】
復調段階（Ｓ１０７０）で、変調されて伝送されたトランスポートストリームを復調することができる。
【００５６】
逆多重化段階（Ｓ１０８０）で、復調されたトランスポートストリームは複数個の単位ストリームに逆多重化することができる。
【００５７】
基本画質ＵＨＤデータをデコーディングする段階（Ｓ１０９０）で、基本画質ＵＨＤデータはＨＥＶＣ方式によりデコーディングすることができる。
【００５８】
高画質ＵＨＤデータをデコーディングする段階（Ｓ１１００）で、高画質ＵＨＤデータはＳＨＶＣ方式によりデコーディングすることができる。ここで、高画質ＵＨＤデータをデコーディングする過程で基本画質ＵＨＤデータが参照されてもよい。
【００５９】
デコーディングされた基本画質ＵＨＤデータを再生する段階（Ｓ１１１０）で、デコーディングされた基本画質ＵＨＤデータは基本画質ＵＨＤＴＶ（Ｅｓｓｅｎｔｉａｌ  ＵＨＤＴＶ）によって再生され得る。
【００６０】
デコーディングされた高画質ＵＨＤデータを再生する段階（Ｓ１１２０）で、デコーディングされた高画質ＵＨＤデータは高画質ＵＨＤＴＶによって再生され得る。
【００６１】
同図は、高画質ＵＨＤサービス（Ａｄｖａｎｃｅｄ  ＵＨＤサービス）を提供するために、ＳＨＶＣ方式を用いて地上波放送網又はケーブル網を介してＵＨＤデータを伝送する実施例を示したものである。基本となる基本画質ＵＨＤデータは基本階層（ｂａｓｅ  ｌａｙｅｒ）でエンコーディングされ、残りの高画質ＵＨＤコンテンツ（Ａｄｖａｎｃｅｄ  ＵＨＤコンテンツ）を構成するデータは向上階層（ｅｎｈａｎｃｅｍｅｎｔ  ｌａｙｅｒ）でエンコーディングされてもよい。エンコーディングされた基本画質ＵＨＤデータ及びエンコーディングされた高画質ＵＨＤデータは、同じチャネルまたは異なるチャネルを介して受信端に伝送されてもよい。
【００６２】
図２は、本発明の一実施例に係る高画質ＵＨＤ放送コンテンツ（Ａｄｖａｎｃｅｄ  ＵＨＤ放送コンテンツ）を、既存の放送網（地上波放送網又はケーブル網）及びＩＰ網を介して送受信する方法を示す図である。
【００６３】
同図は、高画質ＵＨＤコンテンツ及び基本画質ＵＨＤコンテンツ（Ｅｓｓｅｎｔｉａｌ  ＵＨＤコンテンツ）を、既存の放送網（地上波放送網又はケーブル網）及びＩＰ網（インターネット網）、すなわち、２つのそれぞれ異なるネットワークを用いて伝送する実施例を示したものである。基本となる基本画質ＵＨＤデータは基本階層（ｂａｓｅ  ｌａｙｅｒ）でエンコーディングされ、残りの高画質ＵＨＤコンテンツを構成するデータは向上階層（ｅｎｈａｎｃｅｍｅｎｔ  ｌａｙｅｒ）でエンコーディングされてもよい。エンコーディングされた基本画質ＵＨＤデータ及びエンコーディングされた高画質ＵＨＤデータは、それぞれ異なる網を介して受信端に伝送され得る。
【００６４】
同図で、向上階層でエンコーディングされた高画質ＵＨＤデータは、トランスポートストリームに多重化することができる。多重化されたトランスポートストリームは、ＩＰ Ｍｕｘｉｎｇ段階（Ｓ２０１０）でインターネットプロトコル（ＩＰ）の形態でパケット化することができる。ＩＰ Ｍｕｘｉｎｇ段階（Ｓ２０１０）によって生成されたＩＰパケットは、インターネット網を介して受信端に伝送され得る。ＩＰ復調段階（Ｓ２０２０）では、受信されたＩＰパケットを復調し、ＩＰヘッダーを除去してトランスポートストリームを抽出することができる。
【００６５】
同図で、ＩＰ Ｍｕｘｉｎｇ段階（Ｓ２０１０）及びＩＰ復調段階（Ｓ２０２０）以外の段階についての詳細な説明は、前述した高画質ＵＨＤ放送コンテンツを地上波放送網又はケーブル網を介して送受信する方法を構成する各段階に関する説明に代える。
【００６６】
図３は、本発明の一実施例に係る高画質ＵＨＤ放送コンテンツ及びＥｓｓｅｎｔｉａｌ ＵＨＤ放送コンテンツが、それぞれ、ＩＰ網及び既存の放送網（地上波放送網又はケーブル網）を介して独立して送受信される方法を示す図である。
【００６７】
本発明の一実施例に係る高画質ＵＨＤ放送コンテンツ及びＥｓｓｅｎｔｉａｌ ＵＨＤ放送コンテンツが、それぞれ、ＩＰ網及び既存の放送網（地上波放送網又はケーブル網）を介して独立して送受信される方法によれば、既存の放送網（地上波放送網又はケーブル網）とＩＰ網（インターネット網）のそれぞれでＵＨＤ放送がサービスされ、ユーザは、各網を介して伝送される２つのサービスのうち所望のサービスを選択してＵＨＤ放送を視聴することができる。
【００６８】
同図で、基本画質ＵＨＤコンテンツは、ＨＥＶＣ方式によりエンコーディングされ、エンコーディングされた基本画質ＵＨＤコンテンツは、他の単位ストリームと共に一つのトランスポートストリームに多重化されてもよい。多重化されたトランスポートストリームは、種々の変調方法によって変調されて受信端に伝送されてもよい。受信端で、受信した基本画質ＵＨＤコンテンツを復調し、多重化されたトランスポートストリームを逆多重化することができる。逆多重化を介して抽出された基本画質ＵＨＤコンテンツは、ＨＥＶＣ方式によりデコーディングされ、デコーディングされた基本画質ＵＨＤコンテンツは基本画質ＵＨＤＴＶで再生され得る。
【００６９】
同図で、高画質ＵＨＤコンテンツは、ＨＥＶＣ方式によりエンコーディングされ、エンコーディングされた高画質ＵＨＤコンテンツは、他の単位ストリームと共に一つのトランスポートストリームに多重化されてもよい。ここで、トランスポートパケットが使用されない場合には、トランスポートストリームに多重化する過程が省略されるか、または他の過程で代替されてもよい。多重化されたトランスポートストリームは、インターネットプロトコルの形態でパケット化することができる。生成されたＩＰパケットは、インターネット網を介して受信端に伝送され得る。受信端で、受信したＩＰパケットを復調し、ＩＰヘッダーを除去してトランスポートストリームを抽出することができる。トランスポートストリームを逆多重化して高画質ＵＨＤコンテンツを抽出することができる。ここで、トランスポートストリームを逆多重化する過程は省略されるか、または他の過程で代替されてもよい。抽出された高画質ＵＨＤコンテンツは、ＨＥＶＣ方式によりデコーディングされ、デコーディングされた高画質ＵＨＤコンテンツは高画質ＵＨＤＴＶで再生され得る。
【００７０】
同図で、各ブロックについての詳細な説明は、前述した高画質ＵＨＤ放送コンテンツを地上波放送網又はケーブル網を介して送受信する方法を構成する各段階に関する説明に代える。
【００７１】
図４は、本発明の一実施例に係る拡張可能なＵＨＤサービス（ｓｃａｌａｂｌｅ  ＵＨＤ  ｓｅｒｖｉｃｅ）を構成する方法を示す図である。
【００７２】
同図で、左側にある図（４０１０）は、ＵＨＤコンテンツの提供のために、ＵＨＤコンテンツを、ｅｓｓｅｎｔｉａｌ信号である基本階層（ｂａｓｅ  ｌａｙｅｒ）信号と向上階層２（ｅｎｈａｎｃｅｍｅｎｔ  ｌａｙｅｒ  ２）信号とに分離して階層的に構成し、各階層（ｌａｙｅｒ）の信号をＳＨＶＣ方式を用いて符号化する実施例を示す。ここで、向上階層２は、基本階層との関係でフレーム速度（ｆｒａｍｅ  ｒａｔｅ）を増加させるためのｅｎｈａｎｃｅｍｅｎｔ信号を意味し得る。
【００７３】
本発明の一実施例によれば、Ｓｅｒｖｉｃｅ ２を提供するためには、基本階層信号と１つの向上階層２信号が必要であり、Ｓｅｒｖｉｃｅ ３を提供するためには、基本階層信号と２つの向上階層２信号が必要である。これと関連して、送信側は、後述する放送網プログラムメタデータまたはＩＰ網プログラムメタデータを介して、向上階層２がフレーム速度に関するｅｎｈａｎｃｅｍｅｎｔ信号であることをシグナリングすることができ、基本階層または向上階層（ｅｎｈａｎｃｅｍｅｎｔ  ｌａｙｅｒ）のレベル（ｌｅｖｅｌ）情報、フレーム速度情報をシグナリングすることができ、受信側は、後述する放送網プログラムメタデータまたはＩＰ網プログラムメタデータを介して、受信した向上階層信号がどのようなｅｎｈａｎｃｅｍｅｎｔ信号であるかを区分することができる。
【００７４】
同図で、右側にある図（４０２０）は、左側にある図（４０１０）とＵＨＤサービスの構成方式において異なる。ＳＨＶＣ方式を用いる点は左側にある図（４０１０）と同一であるが、右側にある図（４０２０）において、Ｓｅｒｖｉｃｅ ２は、基本階層とＵＨＤ−Ｄサービスのための向上階層２信号によって提供され得る。同様に、Ｓｅｒｖｉｃｅ ３は、基本階層とＵＨＤ−Ｂサービスのための向上階層３（ｅｎｈａｎｃｅｍｅｎｔ  ｌａｙｅｒ  ３）信号によって提供され得る。ここで、ＵＨＤ−Ｄサービスのための向上階層２信号は、基本階層との関係でフレーム速度を増加させるためのｅｎｈａｎｃｅｍｅｎｔ信号であり、ＵＨＤ−Ｂサービスのための向上階層３信号は、基本階層との関係でビット深度（ｂｉｔ−ｄｅｐｔｈ）を増加させるためのｅｎｈａｎｃｅｍｅｎｔ信号である。
【００７５】
図５は、本発明の一実施例に係る高画質ＵＨＤ放送コンテンツ送信装置を示す図である。
【００７６】
本発明の一実施例に係る高画質ＵＨＤ放送コンテンツは、基本階層と向上階層とに分けられて伝送されてもよく、一つの単一ストリームで伝送されてもよい（Ｓ５１２０）。高画質ＵＨＤ放送コンテンツが基本階層と向上階層とに階層化されて伝送される場合、ＳＨＶＣ方式を用いて、高画質ＵＨＤ放送コンテンツは、基本階層と１つ以上の向上階層とに階層化されてそれぞれエンコーディングされてもよい。反面、高画質ＵＨＤ放送コンテンツが単一ストリームで伝送される場合、高画質ＵＨＤ放送コンテンツのビデオストリームはＨＥＶＣ方式を用いてエンコーディングされ、ＰＳＩ／ＳＩ又はＰＳＩＰ情報は既存の放送網（地上波放送網又はケーブル網）を介して伝送されてもよい。同図で表示された基本階層は、１つの基本階層（ｂａｓｅ  ｌａｙｅｒ）を意味してもよく、基本階層及び１つ以上の向上階層（ｅｎｈａｎｃｅｍｅｎｔ  ｌａｙｅｒ）を含む階層を意味してもよい。同図で表示された向上階層は、１つの向上階層（ｅｎｈａｎｃｅｍｅｎｔ  ｌａｙｅｒ）を意味してもよく、１つ以上の向上階層（ｅｎｈａｎｃｅｍｅｎｔ  ｌａｙｅｒ）を含む階層を意味してもよい。
【００７７】
本発明の一実施例に係る高画質ＵＨＤ放送コンテンツは、ＩＰ網のみで伝送されてもよく、既存の放送網とＩＰ網とに分けられて伝送されてもよい（Ｓ５１３０、Ｓ５１４０）。
【００７８】
本発明の一実施例に係る高画質ＵＨＤ放送コンテンツ送信装置は、第１ＳＨＶＣエンコーダ（ＳＨＶＣ  Ｅｎｃｏｄｅｒ  ｆｏｒ  ｂａｓｅ  ｌａｙｅｒ）５０１０、第１パケット生成部（Ｐａｃｋｅｔｉｚｅｒ  ｆｏｒ  ＳＨＶＣ）５０２０、第１多重化部（ＭＰＥＧ−２  ＴＳ  ＭＵＸ  ｆｏｒ  ＳＨＶＣ）５０３０、変調部（Ｍｏｄｕｌａｔｏｒ)５０４０、システムクロック（Ｓｙｓｔｅｍ  Ｃｌｏｃｋ）５０５０、第２ＳＨＶＣエンコーダ（ＳＨＶＣ  Ｅｎｃｏｄｅｒ  ｆｏｒ  ｅｎｈａｎｃｅｍｅｎｔ  ｌａｙｅｒ）５０６０、第１ＩＰ多重化部（ＩＰ  ＭＵＸ  ｆｏｒ  ＳＨＶＣ）５０７０、ＨＥＶＣエンコーダ（ＨＥＶＣ  Ｅｎｃｏｄｅｒ）５０８０、第２パケット生成部（Ｐａｃｋｅｔｉｚｅｒ  ｆｏｒ  ＨＥＶＣ）５０９０、第２多重化部（ＭＰＥＧ−２  ＴＳ  ＭＵＸ  ｆｏｒ  ＨＥＶＣ）５１００、第３パケット生成部（Ｐａｃｋｅｔｉｚｅｒ  ｆｏｒ  ＨＥＶＣ  ｔｈｒｏｕｇｈ  ＩＰ）５１１０及び／又は第２ＩＰ多重化部（ＩＰ  ＭＵＸ  ｆｏｒ  ＨＥＶＣ）５１２０を含む。
【００７９】
第１ＳＨＶＣエンコーダ５０１０は、基本画質ＵＨＤ放送プログラムを構成する基本階層のデータを、ＳＨＶＣ方式を用いてエンコーディングすることができる。第１ＳＨＶＣエンコーダは、ＳＨＶＣ方式以外のエンコーディング方式を用いてもよい。第１ＳＨＶＣエンコーダは、上述した基本階層のデータだけでなく、上述した基本階層のデータをベースとして高画質ＵＨＤ放送プログラムを提供するために必要な付加情報を含む１つ以上の向上階層のデータをエンコーディングすることができる。第１ＳＨＶＣエンコーダは、放送網を介して伝送される高画質ＵＨＤ放送プログラムに関する情報を含む放送網プログラムメタデータ（ＵＨＤ  ｐｒｏｇｒａｍ  ｄｅｓｃｒｉｐｔｏｒ）、及び／又はＩＰ網を介して伝送される高画質ＵＨＤ放送プログラムに関する情報を含むＩＰ網プログラムメタデータ（ｅｎｈａｎｃｅｍｅｎｔ  ｐｒｏｇｒａｍ  ｄｅｓｃｒｉｐｔｏｒ）をエンコーディングするシステムエンコーダ（図示せず）を含むことができる。
【００８０】
第１パケット生成部５０２０は、エンコーディングされた単位ストリーム（ＥＳ；Ｅｌｅｍｅｎｔａｒｙ  Ｓｔｅａｍ）を一定の大きさに分割してＰＥＳ（Ｐａｃｋｅｔｉｚｅｄ  Ｅｌｅｍｅｎｔａｒｙ  Ｓｔｒｅａｍ）を生成することができる。ＰＥＳには、システムクロック（Ｓｙｓｔｅｍ  Ｃｌｏｃｋ）５０５０による３３ｂｉｔのＤＴＳ（Ｄｅｃｏｄｉｎｇ  Ｔｉｍｅ  Ｓｔａｍｐ）及びＰＴＳ（Ｐｒｅｓｅｎｔａｔｉｏｎ  Ｔｉｍｅ  Ｓｔａｍｐ）情報が含まれてもよい。第１パケット生成部は、地上波放送網又はケーブル網で伝送されるデータを放送パケットにパケット化することができる。第１パケット生成部は、エンコーディングされた基本階層のデータ及び／又は１つ以上の向上階層のうち第１向上階層のデータを、放送パケットにパケット化することができる。ここで、上述した第１向上階層のデータは、上述した向上階層が複数個存在する場合に、地上波放送網又はケーブル網で伝送される向上階層のデータを意味し得る。したがって、第１向上階層は、複数個の向上階層のうち１つの向上階層を意味するものではなく、複数個の向上階層のうち、放送網を介して伝送される向上階層を意味するもので、第１向上階層は１つ以上の向上階層を意味し得る。
【００８１】
第１多重化部５０３０は、オーディオ／ビデオＰＥＳとＰＳＩ／ＳＩ、ＰＳＩＰ情報のプライベートセクション（ｐｒｉｖａｔｅ  ｓｅｃｔｉｏｎ）などを多重化して一つのトランスポートストリーム（Ｔｒａｎｓｐｏｒｔ  Ｓｔｅａｍ；ＴＳ）を生成することができる。
【００８２】
変調部５０４０は、生成されたトランスポートストリームをＶＳＢ（Ｖｅｓｔｉｇｉａｌ  Ｓｉｄｅ  Ｂａｎｄ）またはＱＡＭ（Ｑｕａｄｒａｔｕｒｅ  Ａｍｐｌｉｔｕｄｅ  Ｍｏｄｕｌａｔｉｏｎ）方式で変調して送出することができる。ここで、変調部は、ＶＳＢ及びＱＡＭ以外の変調方法を用いてもよい。
【００８３】
システムクロック５０５０は、システム基準クロックを意味し得る。システムクロックは、ＰＣＲ、ＤＴＳ、ＰＴＳなどの時間情報をＰＥＳ及びＴＳに挿入することができる。これによって、基本階層のストリーム及び向上階層のストリームがいずれも、ＤＴＳ及びＰＴＳ情報を含み、これを用いて両階層のストリームを同期化することができる。また、向上階層のストリームと同期化が開始されなければならないＰＴＳ値をＰＳＩ／ＳＩ又はＰＳＩＰに伝達して、これと関連する情報が生成され得る。
【００８４】
第２ＳＨＶＣエンコーダ５０６０は、上述した基本階層のデータをベースとして高画質ＵＨＤ放送プログラムを提供するために必要な付加情報を含む１つ以上の向上階層のデータを、ＳＨＶＣ方式を用いてエンコーディングすることができる。第２ＳＨＶＣエンコーダは、ＳＨＶＣ方式以外のエンコーディング方式を用いてもよい。
【００８５】
第１ＩＰ多重化部５０７０は、ＴＳをＩＰの形態でパケット化することができる。第１ＩＰ多重化部は、ＴＳパケットにＲＴＰヘッダー、ＵＤＰヘッダー及びＩＰヘッダーを追加してＩＰパケットを生成することができる。第１ＩＰ多重化部は、エンコーディングされた単位ストリームを一定の大きさに分割してＰＥＳを生成することができ、生成されたオーディオ／ビデオＰＥＳとＰＳＩ／ＳＩ、ＰＳＩＰ情報のプライベートセクションなどを多重化して一つのトランスポートストリームを生成し、生成されたＴＳにＩＰヘッダーを追加してＩＰパケットを生成することができる。第１ＩＰ多重化部は、エンコーディングされた１つ以上の向上階層のうち第２向上階層のデータをＩＰパケットにパケット化することができる。ここで、上述した第２向上階層のデータは、上述した向上階層が複数個存在する場合に、ＩＰ網で伝送される向上階層のデータを意味し得る。したがって、第２向上階層は、複数個の向上階層のうち１つの向上階層を意味するものではなく、複数個の向上階層のうち、ＩＰ網を介して伝送される向上階層を意味するもので、第２向上階層は１つ以上の向上階層を意味し得る。
【００８６】
ＨＥＶＣエンコーダ５０８０は、本発明の一実施例に係る高画質ＵＨＤ放送コンテンツが、階層化されて伝送されずに単一ストリームで伝送される場合に、高画質ＵＨＤ放送コンテンツをＨＥＶＣ方式を用いてエンコーディングすることができる。ここで、上述したＨＥＶＣエンコーダは、他のエンコーディング方式を用いる他のエンコーダで代替されてもよい。
【００８７】
第２パケット生成部５０９０は、エンコーディングされた単位ストリームを一定の大きさに分割してＰＥＳを生成することができる。
【００８８】
第２多重化部５１００は、オーディオ／ビデオＰＥＳとＰＳＩ／ＳＩ、ＰＳＩＰ情報のプライベートセクションなどを多重化して一つのトランスポートストリームを生成することができる。
【００８９】
第３パケット生成部５１１０は、エンコーディングされた単位ストリームを一定の大きさに分割してＰＥＳを生成することができる。
【００９０】
第２ＩＰ多重化部５１２０は、ＴＳをＩＰの形態でパケット化することができる。第２ＩＰ多重化部は、エンコーディングされた単位ストリームにＲＴＰヘッダー、ＵＤＰヘッダー及びＩＰヘッダーを順次追加してＩＰパケットを生成することができる。第２ＩＰ多重化部は、エンコーディングされた単位ストリームを一定の大きさに分割してＰＥＳを生成することができ、生成されたオーディオ／ビデオＰＥＳとＰＳＩ／ＳＩ、ＰＳＩＰ情報のプライベートセクションなどを多重化して一つのトランスポートストリームを生成し、生成されたＴＳにＩＰヘッダーを追加してＩＰパケットを生成することができる。
【００９１】
本発明の一実施例に係る高画質ＵＨＤ放送コンテンツ送信装置は、システム情報エンコーダ（Ｓｙｓｔｅｍ  Ｉｎｆｏｒｍａｔｉｏｎ  Ｅｎｃｏｄｅｒ）（図示せず）をさらに含むことができる。システム情報エンコーダは、ＰＳＩ／ＳＩ又はＰＳＩＰ情報などをエンコーディングすることができ、後述する放送網プログラムメタデータ及びＩＰ網プログラムメタデータをエンコーディングすることができる。
【００９２】
図６は、本発明の一実施例に係るＩＰパケットの階層構造を示す図である。
【００９３】
本発明の一実施例に係る高画質ＵＨＤコンテンツがＩＰ網（インターネット網）を介して伝送される場合には、高画質ＵＨＤコンテンツを構成する単位ストリームは、ＩＰパケットの形態でパケット化されて受信側に伝送され得る。
【００９４】
本発明の一実施例に係るＩＰパケットの階層構造は２つの形態が存在し得る。まず、高画質ＵＨＤコンテンツを構成する単位ストリームにＲＴＰヘッダー、ＵＤＰヘッダー及びＩＰヘッダーを順次追加することによって、ＩＰパケットが生成されてもよい（６０１０）。そして、高画質ＵＨＤコンテンツを構成する単位ストリームを一定の大きさに分割してＰＥＳを生成し、生成されたＰＥＳとＰＳＩ／ＳＩ、ＰＳＩＰ情報のプライベートセクションなどを多重化して一つのトランスポートストリームを生成し、生成されたＴＳにＩＰヘッダーを追加することによって、ＩＰパケットが生成されてもよい（６０２０）。
【００９５】
ＲＴＰヘッダーは、リアルタイムメディアデータ伝達のために使用されるプロトコルを意味するＲＴＰ（Ｒｅａｌ  Ｔｉｍｅ  Ｐｒｏｔｏｃｏｌ）によって生成されたパケットのヘッダーを意味する。ＲＴＰヘッダーの主要構成要素として、ＳＳＲＣ（Ｓｙｎｃｈｒｏｎｉｚａｔｉｏｎ  Ｓｏｕｒｃｅ）及びＣＳＲＣ（Ｃｏｎｔｒｉｂｕｔｉｎｇ  Ｓｏｕｒｃｅ）が存在する。ＳＳＲＣは、ＲＴＰストリームのソースを識別する役割を果たす。ＣＳＲＣは、ＲＴＰパケットに含まれたメディアを構成するソースを識別する役割を果たす。
【００９６】
ＵＤＰヘッダーは、ＩＰを使用するネットワーク内でコンピュータ間にメッセージが交換されるとき、制限されたサービスのみを提供する通信プロトコルであるＵＤＰ（Ｕｓｅｒ  Ｄａｔａｇｒａｍ  Ｐｒｏｔｏｃｏｌ）によって生成されたパケットのヘッダーを意味する。ＵＤＰヘッダーの主要構成要素として、ＳＰ（Ｓｏｕｒｃｅ  Ｐｏｒｔ  Ｎｕｍｂｅｒ）、ＤＰ（Ｄｅｓｔｉｎａｔｉｏｎ  Ｐｏｒｔ  Ｎｕｍｂｅｒ）及びＵＤＰチェックサム（ＵＤＰ  Ｃｈｅｃｋｓｕｍ）が存在する。ＳＰは、データを送信する側のＵＤＰポートナンバーを示し、ＤＰは、データが伝送される目的地のＵＤＰポートナンバーを示す。そして、ＵＤＰチェックサムによって、目的地に到着したデータの損傷有無を確認することができる。
【００９７】
ＩＰヘッダーは、インターネット網を介してデータを伝送する場合に使用されるプロトコルであるＩＰ（Ｉｎｔｅｒｎｅｔ  Ｐｒｏｔｏｃｏｌ）によって生成されたパケットのヘッダーを意味する。ＩＰヘッダーの主要構成要素として、ＳＩＰ（Ｓｏｕｒｃｅ  ＩＰ  Ａｄｄｒｅｓｓ）及びＤＩＡ（Ｄｅｓｔｉｎａｔｉｏｎ  ＩＰ  Ａｄｄｒｅｓｓ）が存在する。ＳＩＰは、データを送信する側のＩＰアドレスを示し、ＤＩＡは、データが伝送される目的地のＩＰアドレスを示す。
【００９８】
図７は、本発明の一実施例に係る高画質ＵＨＤ放送コンテンツが階層化され、既存の放送網（地上波放送網又はケーブル網）及びＩＰ網を介して伝送される場合に、高画質ＵＨＤ放送コンテンツ受信装置を示す図である。
【００９９】
本発明の一実施例に係る高画質ＵＨＤ放送コンテンツは、基本階層と１つ以上の向上階層に階層化されて伝送され得る。高画質ＵＨＤ放送コンテンツが基本階層と１つ以上の向上階層に階層化され、放送網及びＩＰ網を介して伝送される場合、本発明の一実施例に係る高画質ＵＨＤ放送コンテンツ受信装置は、伝送されるネットワーク網（放送網又はＩＰ網）別に各階層のデータを別に受信することができる。
【０１００】
本発明の一実施例に係る受信装置は、基本画質ＵＨＤ放送プログラムを構成する基本階層のデータ、及び／又は基本階層のデータをベースとして高画質ＵＨＤ放送プログラムを提供するために必要な付加情報を含む１つ以上の向上階層のデータを、放送網を介して受信することができ、受信装置は、上述した１つ以上の向上階層のうち放送網を介して受信できなかった１つ以上の向上階層のデータを、ＩＰ網を介して受信することができる。ここで、全向上階層のうち、放送網を介して受信される向上階層は第１向上階層と命名し、全向上階層のうち、ＩＰ網を介して受信される向上階層は第２向上階層と命名することができる。
【０１０１】
本発明の一実施例に係る高画質ＵＨＤ放送コンテンツ受信装置は、復調部（Ｄｅｍｏｄｕｌａｔｏｒ）７０１０、第１ＴＳ逆多重化部（ＭＰＥＧ−２  ＴＳ  ＤＥＭＵＸ）７０２０、システム情報デコーダ（ＰＳＩ／ＳＩ  ｏｒ  ＰＳＩＰ  Ｄｅｃｏｄｅｒ）７０３０、第１デコーダ（Ｄｅｃｏｄｅｒ  ｆｏｒ  ＨＥＶＣ／ＳＨＶＣ）７０４０、システムクロック（Ｓｙｓｔｅｍ  Ｃｌｏｃｋ）７０５０、同期化部（Ｓｙｎｃｈｒｏｎｉｚｅｒ）７０６０、ＩＰ逆多重化部（ＩＰ  ＤＥＭＵＸ）７０７０、第２ＴＳ逆多重化部（ＭＰＥＧ−２  ＴＳ  ＤＥＭＵＸ  ｆｏｒ  ＩＰ）７０８０及び／又は第２デコーダ（Ｄｅｃｏｄｅｒ  ｆｏｒ  ＳＨＶＣ）７０９０を含む。
【０１０２】
本発明の一実施例に係る高画質ＵＨＤ放送コンテンツ受信装置は、第１受信部（図示せず）及び／又は第２受信部（図示せず）をさらに含むことができる。第１受信部は、放送網を介して伝送される基本階層のデータ及び／又は第１向上階層のデータを受信することができる。ここで、基本階層のデータは、基本画質ＵＨＤ放送プログラムを構成するデータであり、第１向上階層のデータは、１つ以上の向上階層のデータのうち、放送網を介して伝送される向上階層のデータを意味し、向上階層は、基本階層のデータをベースとして高画質ＵＨＤ放送プログラムを提供するために必要な付加情報を含む階層を意味し得る。第１受信部は、後述する放送網プログラムメタデータ及び／又はＩＰ網プログラムメタデータを受信することができる。第２受信部は、ＩＰ網（インターネット網）を介して伝送される第２向上階層のデータを受信することができる。ここで、第２向上階層のデータは、１つ以上の向上階層のデータのうち、ＩＰ網を介して伝送される向上階層のデータを意味し得る。上述した第１向上階層及び第２向上階層は１つ以上であってもよい。第１受信部は復調部７０１０に含まれてもよく、第２受信部はＩＰ逆多重化部７０７０に含まれてもよい。
【０１０３】
復調部７０１０は、受信されたＶＳＢ又はＱＡＭ信号を復調してトランスポートストリームを獲得することができる。
【０１０４】
第１ＴＳ逆多重化部７０２０は、受信されたＴＳを逆多重化してオーディオ／ビデオ単位ストリーム、ＰＳＩ／ＳＩ情報、ＰＳＩＰ情報、ＰＣＲ、ＤＴＳまたはＰＴＳを抽出することができる。第１ＴＳ逆多重化部は、ＴＳを逆多重化する過程でＰＩＤ（Ｐａｃｋｅｔ  ＩＤ）を参照することができる。ここで、抽出されたＰＣＲは、受信装置のシステムクロックを補正する際に使用することができる。同期化部７０６０に伝達されるＤＴＳは、ＶＤＥＣバッファ（Ｖｉｄｅｏ  Ｄｅｃｏｄｅｒ  Ｃｏｍｐｏｎｅｎｔ  ｂｕｆｆｅｒ）でデコーディングタイムを指定する情報として使用し、同期化部７０６０に伝達されるＰＴＳは、Ｖｉｄｅｏバッファ（Ｖｉｄｅｏ  ｂｕｆｆｅｒ）で出力タイムを指定する情報として使用することができる。
【０１０５】
システム情報デコーダ７０３０は、受信したＰＳＩ／ＳＩ又はＰＳＩＰ情報に含まれたストリームまたはサービスに関する情報をデコーディングすることができる。後述する放送網プログラムメタデータ及びＩＰ網プログラムメタデータは、ＰＳＩ／ＳＩ又はＰＳＩＰに含まれてもよく、システム情報デコーダによってデコーディングされ得る。
【０１０６】
第１デコーダ７０４０は、第１受信部によって受信された基本階層のデータ及び／又は第１向上階層のデータをデコーディングすることができる。第１デコーダは、ＨＥＶＣ又はＳＨＶＣ方式を用いてエンコーディングされた基本階層及び／又は第１向上階層のストリームをビデオ映像にデコーディングすることができる。
【０１０７】
システムクロック７０５０は、システム基準クロックを意味し得る。基本階層及び／又は向上階層のストリームがいずれも、ＤＴＳ及びＰＴＳ情報を含み、これを用いて両階層のストリームを同期化することができる。
【０１０８】
同期化部７０６０は、第１ＴＳ逆多重化部及び第２ＴＳ逆多重化部から受信したＤＴＳ／ＰＴＳ及びシステムクロックから受信した補正されたＰＣＲを用いて、基本階層と向上階層を同期化させることができる。
【０１０９】
ＩＰ逆多重化部７０７０は、インターネット網を介して受信されたＩＰパケットからＴＳパケットを抽出することができる。非リアルタイムでストリームを格納するシステムであれば、ＩＰパケットの代わりに、格納に適したファイルフォーマット（Ｆｉｌｅ  Ｆｏｒｍａｔ）を使用することができる。この場合、ＩＰ逆多重化部はＩＳＯファイルデコーダ（ＩＳＯ  Ｆｉｌｅ  Ｄｅｃｏｄｅｒ）で代替されてもよい。ＩＰ逆多重化部は、同期化及びランダムアクセス（Ｒａｎｄｏｍ  Ａｃｃｅｓｓ）のためのＤＴ（Ｄｅｃｏｄｉｎｇ  Ｔｉｍｅ）及びＣＴ（Ｃｏｎｔｉｎｕｏｕｓ  Ｔｉｍｅ）などのタイミング情報をタイムスケール（ｔｉｍｅ  ｓｃａｌｅ）と共に同期化部に伝達することができる。
【０１１０】
第２ＴＳ逆多重化部７０８０は、受信されたＴＳを逆多重化してオーディオ／ビデオ単位ストリーム、ＤＴＳまたはＰＴＳを抽出することができる。同期化部７０６０に伝達されるＤＴＳは、ＶＤＥＣバッファ（Ｖｉｄｅｏ  Ｄｅｃｏｄｅｒ  Ｃｏｍｐｏｎｅｎｔ  ｂｕｆｆｅｒ）でデコーディングタイムを指定する情報として使用し、同期化部７０６０に伝達されるＰＴＳは、Ｖｉｄｅｏバッファで出力タイムを指定する情報として使用することができる。本発明の一実施例に係る高画質ＵＨＤ放送コンテンツがインターネット網を介して伝送される場合、ＰＥＳ／ＴＳ／ＩＰにパケット化されて伝送される場合があり、ＲＴＰ／ＵＤＰ／ＩＰにパケット化されて伝送される場合もあり得る。高画質ＵＨＤ放送コンテンツがＲＴＰ／ＵＤＰ／ＩＰにパケット化されて伝送される場合、第２ＴＳ逆多重化部は、ＲＴＰ／ＵＤＰ逆多重化部又はＲＴＰ／ＵＤＰデパッケタイザで代替されてもよい。
【０１１１】
第２デコーダ７０９０は、第２受信部によって受信された第２向上階層のデータをデコーディングすることができる。第２デコーダは、ＨＥＶＣ又はＳＨＶＣ方式を用いてエンコーディングされた第２向上階層のストリームをビデオ映像にデコーディングすることができる。第２デコーダは、ｕｐｓｃａｉｌｉｎｇ（ｕｐｓａｍｐｌｉｎｇ）された基本階層のデータを用いて第２向上階層のストリームをデコーディングできる。
【０１１２】
本発明の一実施例に係る高画質ＵＨＤ放送コンテンツ受信装置は、再生部（図示せず）をさらに含むことができる。再生部は、同図に示された高画質ＵＨＤディスプレイ（Ａｄｖａｎｃｅｄ  ＵＨＤ  Ｄｉｓｐｌａｙ）を意味し得る。再生部は、デコーディングされた基本階層のデータ及び１つ以上の向上階層のデータを用いて高画質ＵＨＤ放送プログラムを再生することができる。本発明の一実施例に係る高画質ＵＨＤ放送コンテンツを再生できる高画質ＵＨＤＴＶは、受信された基本階層のデータ及び受信された全ての向上階層のデータによって提供される高画質ＵＨＤ放送プログラムを再生することができる。
【０１１３】
図８は、本発明の一実施例に係る高画質ＵＨＤ放送コンテンツが単一階層のストリームで伝送される場合に、高画質ＵＨＤ放送コンテンツ受信装置を示す図である。
【０１１４】
本発明の一実施例に係る高画質ＵＨＤ放送コンテンツ受信装置は、ＩＰ逆多重化部（ＩＰ  ＤＥＭＵＸ）８０１０、ＴＳ逆多重化部（ＭＰＥＧ−２  ＴＳ  ＤＥＭＵＸ）８０２０及び／又はデコーダ（Ｄｅｃｏｄｅｒ  ｆｏｒ  ＨＥＶＣ）８０３０を含む。
【０１１５】
ＩＰ逆多重化部８０１０は、インターネット網を介して受信されたＩＰパケットからＴＳパケットを抽出することができる。非リアルタイムでストリームを格納するシステムであれば、ＩＰパケットの代わりに、格納に適したファイルフォーマットを使用することができる。この場合、ＩＰ逆多重化部はＩＳＯファイルデコーダで代替されてもよい。
【０１１６】
ＴＳ逆多重化部８０２０は、ＴＳを逆多重化してオーディオ／ビデオ単位ストリーム、ＰＳＩ／ＳＩ情報またはＰＳＩＰ情報を抽出することができる。ＴＳ逆多重化部は、ＴＳを逆多重化する過程でＰＩＤ（Ｐａｃｋｅｔ  ＩＤ）を参照することができる。本発明の一実施例に係る高画質ＵＨＤ放送コンテンツがインターネット網を介して伝送される場合、ＰＥＳ／ＴＳ／ＩＰにパケット化されて伝送される場合があり、ＲＴＰ／ＵＤＰ／ＩＰにパケット化されて伝送される場合もあり得る。高画質ＵＨＤ放送コンテンツがＲＴＰ／ＵＤＰ／ＩＰにパケット化されて伝送される場合、ＴＳ逆多重化部は、ＲＴＰ／ＵＤＰ逆多重化部又はＲＴＰ／ＵＤＰデパッケタイザで代替されてもよい。
【０１１７】
デコーダ８０３０は、ＨＥＶＣでエンコーディングされた高画質ＵＨＤストリーム（単一ストリーム）をビデオ映像にデコーディングすることができる。ここで、デコーダは、ＨＥＶＣエンコーディング方式でエンコーディングされた単一ストリームの場合、ＨＥＶＣ方式を用いてデコーディングすることができる。
【０１１８】
図９は、本発明の一実施例に係る放送網プログラムメタデータを含む放送網プログラムディスクリプタのシンタックスを示す図である。
【０１１９】
本発明の一実施例に係る放送網プログラムディスクリプタは、ｄｅｓｃｒｉｐｔｏｒ_ｔａｇ情報、ｄｅｓｃｒｉｐｔｏｒ_ｌｅｎｇｔｈ情報及び／又は放送網プログラムメタデータを含む。
【０１２０】
ｄｅｓｃｒｉｐｔｏｒ_ｔａｇ情報は、当該ディスクリプタが放送網プログラムメタデータを含むディスクリプタであることを識別する。
【０１２１】
ｄｅｓｃｒｉｐｔｏｒ_ｌｅｎｇｔｈ情報は、当該ディスクリプタの長さを示す。
【０１２２】
放送網プログラムメタデータは、プログラムタイプ情報（ｂａｓｅ_ｌａｙｅｒ_ｐｒｏｇｒａｍ_ｔｙｐｅ）、階層個数情報（ｎｕｍ_ｌａｙｅｒ）、階層識別情報（ｌａｙｅｒ_ＩＤ）、階層エンコーディングタイプ情報（ｓｔｒｅａｍ_ｔｙｐｅ）、階層単位ストリームパケット識別情報（ｅｌｅｍｅｎｔａｒｙ_ＰＩＤ）、拡張可能タイプ情報（ｓｃａｌａｂｌｅ_ｔｙｐｅ）、階層組み合わせタイプ情報（ｌａｙｅｒ_ｃｏｍｂｉｎａｔｉｏｎ_ｔｙｐｅ）、組み合わせ解像度情報（ｃｏｍｂｉｎａｔｉｏｎ_ｒｅｓｏｌｕｔｉｏｎ）、組み合わせフレーム速度情報（ｃｏｍｂｉｎａｔｉｏｎ_ｆｒａｍｅ_ｒａｔｅ）、組み合わせビット深度情報（ｃｏｍｂｉｎａｔｉｏｎ_ｂｉｔ_ｄｅｐｔｈ）、組み合わせクロマサブサンプリング情報（ｃｏｍｂｉｎａｔｉｏｎ_ｃｈｒｏｍａ_ｓｕｂｓａｍｐｌｉｎｇ）、組み合わせガマット情報（ｃｏｍｂｉｎａｔｉｏｎ_ｃｏｌｏｒ_ｇａｍｕｔ）及び／又は組み合わせ明るさ領域情報（ｃｏｍｂｉｎａｔｉｏｎ_ＨＤＲ）を含む。
【０１２３】
階層プログラムタイプ情報（ｂａｓｅ_ｌａｙｅｒ_ｐｒｏｇｒａｍ_ｔｙｐｅ）は、放送網を介して伝送される階層のデータによって最終的に提供され得るＵＨＤ放送プログラムの種類を示す。ここで、放送網を介して伝送される階層には、基本画質ＵＨＤ放送プログラムを構成する基本階層、及び／又は基本階層のデータをベースとして高画質ＵＨＤ放送プログラムを提供するために必要な付加情報を含む１つ以上の向上階層が該当し得る。階層プログラムタイプ情報についての詳細は後述する。
【０１２４】
階層個数情報（ｎｕｍ_ｌａｙｅｒ）は、放送網を介して伝送される階層の個数を示す。すなわち、放送網を介して伝送される基本階層及び向上階層の個数を示す。より具体的には、上述した向上階層は、第１向上階層を意味し得る。例えば、ＵＨＤ放送プログラムが基本階層、向上階層１及び向上階層２からなる場合、階層個数情報が示す値は３である。ここで、上述した向上階層１は、上述した第１向上階層とはその意味が異なる。
【０１２５】
階層識別情報（ｌａｙｅｒ_ＩＤ）は、放送網を介して伝送される各階層を識別する。すなわち、階層識別情報は、放送網を介して伝送される階層において各階層を区分できる識別番号を示すことができる。階層識別情報は、放送網で伝送される各階層に関する情報を当該階層と連結させる役割を果たすことができる。階層識別情報と、後述するＩＰ網プログラムメタデータに含まれるＩＰ網階層識別情報には、同じ値が割り当てられない。
【０１２６】
階層エンコーディングタイプ情報（ｓｔｒｅａｍ_ｔｙｐｅ）は、放送網を介して伝送される各階層で使用するコーデックの種類を示す。
【０１２７】
階層単位ストリームパケット識別情報（ｅｌｅｍｅｎｔａｒｙ_ＰＩＤ）は、放送網を介して伝送される各階層のデータが含まれた単位ストリームのパケット識別情報を示す。すなわち、階層単位ストリームパケット識別情報は、階層識別情報によって識別された階層に該当する単位ストリームのＰＩＤ（Ｐａｃｋｅｔ  ＩＤ）値をシグナリングすることができる。
【０１２８】
拡張可能タイプ情報（ｓｃａｌａｂｌｅ_ｔｙｐｅ）は、放送網を介して伝送される各階層で同時に提供できる拡張可能な（ｓｃａｌａｂｌｅ）項目を示す。拡張可能タイプ情報は、階層識別情報によって識別された階層で同時に提供する拡張可能な（ｓｃａｌａｂｌｅ）項目を示すことができる。上述した拡張可能な項目は、解像度（ｒｅｓｏｌｕｔｉｏｎ）、フレーム速度（ｆｒａｍｅ  ｒａｔｅ）、ビット深度（ｂｉｔ  ｄｅｐｔｈ）、クロマサブサンプリング（ｃｈｒｏｍａ  ｓｕｂｓａｍｐｌｉｎｇ）、ガマット（ｃｏｌｏｒ  ｇａｍｕｔ）及び明るさ領域（Ｈｉｇｈ  Ｄｙｎａｍｉｃ  Ｒａｎｇｅ；ＨＤＲ）を含むことができる。拡張可能タイプ情報についての詳細は後述する。
【０１２９】
階層組み合わせタイプ情報は、放送網を介して伝送される階層の組み合わせ情報を示す。階層組み合わせタイプ情報は、放送網を介して伝送される高画質ＵＨＤ放送プログラムを構成する基本階層及び／又は向上階層の組み合わせを数字で表示したことを示す。階層組み合わせタイプ情報についての詳細は後述する。
【０１３０】
組み合わせ解像度情報は、階層組み合わせタイプ情報に従って放送網で伝送された階層が最終的に組み合わされたときに提供される解像度を示す。例えば、組み合わせ解像度情報は３８４０＊２１６０を示すことができる。
【０１３１】
組み合わせフレーム速度情報は、階層組み合わせタイプ情報に従って放送網で伝送された階層が最終的に組み合わされたときに提供されるフレーム速度を示す。例えば、組み合わせフレーム速度情報は１２０ｆｐｓを示すことができる。
【０１３２】
組み合わせビット深度情報は、階層組み合わせタイプ情報に従って放送網で伝送された階層が最終的に組み合わされたときに提供されるビット深度を示す。例えば、組み合わせビット深度情報は１２ｂｉｔを示すことができる。
【０１３３】
組み合わせクロマサブサンプリング情報は、階層組み合わせタイプ情報に従って放送網で伝送された階層が最終的に組み合わされたときに提供されるクロマサブサンプリング情報を示す。例えば、組み合わせクロマサブサンプリング情報は４：２：２を示すことができる。
【０１３４】
組み合わせガマット情報は、階層組み合わせタイプ情報に従って放送網で伝送された階層が最終的に組み合わされたときに提供されるガマット情報を示す。例えば、組み合わせガマット情報はＢＴ．２０２０を示すことができる。
【０１３５】
組み合わせ明るさ領域情報は、階層組み合わせタイプ情報に従って放送網で伝送された階層が最終的に組み合わされたときに提供される明るさ領域（ＨＤＲ）を示す。例えば、組み合わせ明るさ領域情報はコンベンショナルルミナンスケイパビリティ（ｃｏｎｖｅｎｔｉｏｎａｌ  ｌｕｍｉｎａｎｃｅ  ｃａｐａｂｉｌｉｔｙ）を示すことができる。上述したＨＤＲについての詳細は後述する。
【０１３６】
本発明の一実施例に係る放送網プログラムディスクリプタに含まれた放送網プログラムメタデータは、プログラム、チャネルまたはサービスレベルで提供しなければならないＵＨＤＴＶ放送の全体構成情報をシグナリングすることができる。放送網プログラムメタデータは、プログラムを構成するストリームの個数、各ストリームが含まれたチャネル又はサービスに関する情報、及び／又は各ストリームの同期化のための同期化関連情報を含むことができる。
【０１３７】
本発明の一実施例に係る放送網プログラムディスクリプタは、ＰＳＩでＰＭＴのプログラムレベルディスクリプタ（ｐｒｏｇｒａｍ  ｌｅｖｅｌ  ｄｅｓｃｒｉｐｔｏｒ）に含まれてもよく、ＰＳＩＰでＴＶＣＴ／ＣＶＣＴのチャネルレベルディスクリプタ（ｃｈａｎｎｅｌ  ｌｅｖｅｌ  ｄｅｓｃｒｉｐｔｏｒ）に含まれてもよく、ＳＩでＳＤＴのサービスレベルディスクリプタ（ｓｅｒｖｉｃｅ  ｌｅｖｅｌ  ｄｅｓｃｒｉｐｔｏｒ）に含まれてもよい。上述したＰＭＴ、ＰＳＩＰ、ＴＶＣＴ／ＣＶＣＴ及びＳＤＴについての詳細は後述する。
【０１３８】
本発明の一実施例に係る放送網プログラムディスクリプタに含まれた放送網プログラムメタデータは、地上波放送網だけでなく、ケーブル網、ＩＰ網などのネットワーク網を介して伝送される高画質ＵＨＤ放送コンテンツに関する情報を含むことができる。
【０１３９】
図１０は、本発明の一実施例に係る放送網プログラムディスクリプタがＰＭＴに含まれる場合、放送網プログラムディスクリプタが含む情報を示す図である。
【０１４０】
同図で、本発明の一実施例に係る放送網プログラムディスクリプタに含まれた放送網プログラムメタデータが提供する情報は、以下の通りである。
【０１４１】
右側の１番目のボックス（１００１０）において、階層個数情報（ｎｕｍ_ｌａｙｅｒ）は３を示しており、これは、放送網を介して伝送される階層の個数が３個であることを示す。階層識別情報（ｌａｙｅｒ_ＩＤ）は０値を示しており、基本階層（ｂａｓｅ  ｌａｙｅｒ）であることを識別する。階層エンコーディングタイプ情報（ｓｔｒｅａｍ_ｔｙｐｅ）は０ｘ２４値を示し、これは、基本階層で使用されるコーデックがＨＥＶＣであることを示す。階層単位ストリームパケット識別情報（ｅｌｅｍｅｎｔａｒｙ_ＰＩＤ）は０ｘ０５０１値を示し、これは、基本階層のデータが含まれた単位ストリームのＰＩＤが０ｘ０５０１であることを示す。拡張可能タイプ情報（ｓｃａｌａｂｌｅ_ｔｙｐｅ）は００００００値を示し、これは、基本階層で同時に提供できる拡張可能な（ｓｃａｌａｂｌｅ）項目がないことを示す。拡張可能タイプ情報についての詳細は後述する。上述した階層エンコーディングタイプ情報（ｓｔｒｅａｍ_ｔｙｐｅ）が示す値は、ＨＥＶＣ方式でエンコーディングされたストリームを識別する値であって、０ｘ２４又は０ｘ２５値を示すことができる。
【０１４２】
右側の２番目のボックス（１００２０）において、階層識別情報（ｌａｙｅｒ_ＩＤ）は１値を示しており、向上階層１（ｅｎｈａｎｃｅｍｅｎｔ  ｌａｙｅｒ  １）であることを識別する。階層エンコーディングタイプ情報（ｓｔｒｅａｍ_ｔｙｐｅ）は０ｘ２７値を示し、これは、向上階層１で使用されるコーデックがＳＨＶＣであることを示す。階層単位ストリームパケット識別情報（ｅｌｅｍｅｎｔａｒｙ_ＰＩＤ）は０ｘ０５０２値を示し、これは、向上階層１に該当するデータが含まれた単位ストリームのＰＩＤが０ｘ０５０２であることを示す。拡張可能タイプ情報（ｓｃａｌａｂｌｅ_ｔｙｐｅ）は０１００００値を示し、これは、向上階層１で同時に提供できる拡張可能な項目はフレーム速度であることを示す。拡張可能タイプ情報についての詳細は後述する。上述した階層エンコーディングタイプ情報が示す値は、ＳＨＶＣ方式のコーデックが使用される場合に向上階層のストリームを識別する値であって、０ｘ２７、０ｘ２８、０ｘ２９または０ｘ２Ａ値を示すことができる。
【０１４３】
右側の３番目のボックス（１００３０）において、階層識別情報（ｌａｙｅｒ_ＩＤ）は３値を示しており、向上階層３（ｅｎｈａｎｃｅｍｅｎｔ  ｌａｙｅｒ  ３）であることを識別する。階層エンコーディングタイプ情報（ｓｔｒｅａｍ_ｔｙｐｅ）は０ｘ２７値を示し、これは、向上階層３で使用されるコーデックがＳＨＶＣであることを示す。階層単位ストリームパケット識別情報（ｅｌｅｍｅｎｔａｒｙ_ＰＩＤ）は０ｘ０５０３値を示し、これは、向上階層３に該当するデータが含まれた単位ストリームのＰＩＤが０ｘ０５０３であることを示す。拡張可能タイプ情報（ｓｃａｌａｂｌｅ_ｔｙｐｅ）は１００１００値を示し、これは、向上階層３で同時に提供する拡張可能な項目は解像度及びクロマサブサンプリングであることを示す。拡張可能タイプ情報についての詳細は後述する。上述した階層エンコーディングタイプ情報が示す値は、ＳＨＶＣ方式のコーデックが使用される場合に向上階層のストリームを識別する値であって、０ｘ２７、０ｘ２８、０ｘ２９または０ｘ２Ａ値を示すことができる。
【０１４４】
右側の４番目のボックス（１００４０）において、階層組み合わせタイプ情報（ｌａｙｅｒ_ｃｏｍｂｉｎａｔｉｏｎ_ｔｙｐｅ）は１１０１００００値を示し、これは、階層プログラムタイプ情報によって識別されたＵＨＤ放送プログラムが、基本階層、向上階層１及び向上階層３の組み合わせによって提供されることを示す。階層組み合わせタイプ情報についての詳細は後述する。
【０１４５】
同図で、左側にある図はＰＭＴ（Ｐｒｏｇｒａｍ  Ｍａｐ  Ｔａｂｌｅ）のシンタックスを示したもので、ＰＭＴのｄｅｓｃｒｉｐｔｏｒ（）部分に、本発明の一実施例に係る放送網プログラムメタデータ及びＩＰ網プログラムメタデータが含まれてもよい。ＰＭＴについての詳細は後述する。
【０１４６】
図１１は、本発明の一実施例に係る階層組み合わせ（ｌａｙｅｒ  ｃｏｍｂｉｎａｔｉｏｎ）と、階層組み合わせによって提供される放送プログラムの個数に対する関係を示す図である。
【０１４７】
本発明の一実施例に係る階層組み合わせタイプ情報が示す値が１０００ ００００である場合、階層組み合わせタイプ情報は、一つの基本階層（ｌａｙｅｒ_ＩＤ＝０）によって提供されるＰｒｏｇｒａｍ ０を示すことができる。階層組み合わせタイプ情報が示す値が１１００ ００００である場合、階層組み合わせタイプ情報は、基本階層（ｌａｙｅｒ_ＩＤ＝０）及び向上階層１（ｌａｙｅｒ_ＩＤ＝１）の組み合わせによって提供されるＰｒｏｇｒａｍ １を示すことができる。階層組み合わせタイプ情報が示す値が１１０１ ００００または１０１０ ００００である場合、階層組み合わせタイプ情報は、基本階層（ｌａｙｅｒ_ＩＤ＝０）、向上階層１（ｌａｙｅｒ_ＩＤ＝１）及び向上階層３（ｌａｙｅｒ_ＩＤ＝３）の組み合わせによって提供されるか、または基本階層（ｌａｙｅｒ_ＩＤ＝０）及び向上階層３（ｌａｙｅｒ_ＩＤ＝３）の組み合わせによって提供されるＰｒｏｇｒａｍ ２を示すことができる。
【０１４８】
本発明の一実施例に係る放送網プログラムディスクリプタが、後述する階層組み合わせ個数情報（ｎｕｍ_ｌａｙｅｒ_ｃｏｍｂｉｎａｔｉｏｎ）を含み、階層組み合わせタイプ情報を、上述した階層組み合わせ個数情報の下位に記述する場合でなければ、階層組み合わせタイプ情報が示す一つの放送プログラムは、一つの階層組み合わせによって提供され得る。すなわち、階層組み合わせを複数個の放送プログラムとして提供することができる。
【０１４９】
図１２は、本発明の一実施例に係る階層プログラムタイプ情報（ｂａｓｅ_ｌａｙｅｒ_ｐｒｏｇｒａｍ_ｔｙｐｅ）が示すＵＨＤ放送プログラムの種類を示す図である。
【０１５０】
本発明の一実施例に係る階層プログラムタイプ情報（ｂａｓｅ_ｌａｙｅｒ_ｐｒｏｇｒａｍ_ｔｙｐｅ）は、ＵＨＤプログラムタイプ情報（ＵＨＤ_ｐｒｏｇｒａｍ_ｔｙｐｅ）と命名することができる。
【０１５１】
同図を説明すると、本発明の一実施例に係る階層プログラムタイプ情報が示す値が００００の場合、放送網を介して伝送される階層によって最終的に提供され得るＵＨＤ放送プログラムは、３８４０＊２１６０の解像度を有し、３０ｆｐｓのフレーム速度を有し、８ｂｉｔのビット深度を有し、４：２：０のクロマサブサンプリングを有し、ＢＴ．７０９のカラーガマットを有し、コンベンショナルＨＤＲ（ｃｏｎｖｅｎｔｉｏｎａｌ  ＨＤＲ）の明るさ領域を有する、ＵＨＤ−Ａプログラムであることを示すことができる。階層プログラムタイプ情報が示す値が０００１の場合、放送網で伝送される階層によって最終的に提供され得るＵＨＤ放送プログラムは、３８４０＊２１６０の解像度を有し、６０ｆｐｓのフレーム速度を有し、８ｂｉｔのビット深度を有し、４：２：０のクロマサブサンプリングを有し、ＢＴ．７０９のカラーガマットを有し、コンベンショナルＨＤＲの明るさ領域を有する、ＵＨＤ−Ｂプログラムであることを示すことができる。階層プログラムタイプ情報が示す値が００１０の場合、放送網で伝送される階層によって最終的に提供され得るＵＨＤ放送プログラムは、３８４０＊２１６０の解像度を有し、６０ｆｐｓのフレーム速度を有し、１０ｂｉｔのビット深度を有し、４：２：０のクロマサブサンプリングを有し、ＢＴ．７０９のカラーガマットを有し、コンベンショナルＨＤＲの明るさ領域を有する、ＵＨＤ−Ｃプログラムであることを示すことができる。階層プログラムタイプ情報が示す値が００１１の場合、放送網で伝送される階層によって最終的に提供され得るＵＨＤ放送プログラムは、３８４０＊２１６０の解像度を有し、１２０ｆｐｓのフレーム速度を有し、１０ｂｉｔのビット深度を有し、４：２：０のクロマサブサンプリングを有し、ＢＴ．７０９のカラーガマットを有し、コンベンショナルＨＤＲの明るさ領域を有する、ＵＨＤ−Ｄプログラムであることを示すことができる。０１００〜０１１１の値は、現在予約（ｒｅｓｅｒｖｅｄ）された値であって、将来に他のＵＨＤ放送プログラムの種類を示す値として使用することができる。
【０１５２】
本発明の更に他の一実施例によれば、階層プログラムタイプ情報は、解像度、フレーム速度、ビット深度、クロマサブサンプリング、ガマット及びＨＤＲの組み合わせ以外の他の組み合わせで分類されてもよい。
【０１５３】
本発明の更に他の一実施例によれば、階層プログラムタイプ情報は、解像度、フレーム速度、ビット深度、クロマサブサンプリング、ガマット及びＨＤＲの組み合わせを提供することのように一つの集合として提供せず、それぞれの項目を個別的に別に提供してもよく、いくつの項目同士を束ねて提供してもよい。
【０１５４】
本発明の一実施例に係るＵＨＤ放送プログラムは、基本階層によって提供される基本画質ＵＨＤ放送プログラム、及び基本階層及び／又は１つ以上の向上階層によって提供される高画質ＵＨＤ放送プログラムを含むことができる。
【０１５５】
図１３は、本発明の一実施例に係る拡張可能タイプ情報（ｓｃａｌａｂｌｅ_ｔｙｐｅ）を示す図である。
【０１５６】
本発明の一実施例に係る拡張可能タイプ情報は、一つの階層（ｌａｙｅｒ）で同時に提供することができる拡張可能な（ｓｃａｌａｂｌｅ）項目を示す。
【０１５７】
例えば、本発明の一実施例に係る放送網で伝送されるいずれか１つの向上階層で、ビット深度（ｂｉｔ−ｄｅｐｔｈ）及びフレーム速度（ｆｒａｍｅ  ｒａｔｅ）に対して拡張可能な映像コーディング（ｓｃａｌａｂｌｅ  ｖｉｄｅｏ  ｃｏｄｉｎｇ）を提供する場合、同図に示すように、拡張可能タイプ情報は０１１０００値を示すことができる。
【０１５８】
本発明の一実施例によれば、拡張可能な項目は、解像度（ｒｅｓｏｌｕｔｉｏｎ）、フレーム速度（ｆｒａｍｅ  ｒａｔｅ）、ビット深度（ｂｉｔ  ｄｅｐｔｈ）、クロマサブサンプリング（ｃｈｒｏｍａ  ｓｕｂｓａｍｐｌｉｎｇ）、ガマット（ｃｏｌｏｒ  ｇａｍｕｔ）及び明るさ領域（Ｈｉｇｈ  Ｄｙｎａｍｉｃ  Ｒａｎｇｅ；ＨＤＲ）以外に他の項目を含むことができ、上述した項目のうち特定の項目が除外されてもよい。
【０１５９】
本発明の一実施例に係る拡張可能な項目を、タイプ情報を用いて提供することによって、送信側は、複数個の拡張可能な項目に関する情報を同時に提供することができる。
【０１６０】
図１４は、本発明の一実施例に係る階層組み合わせタイプ情報（ｌａｙｅｒ_ｃｏｍｂｉｎａｔｉｏｎ_ｔｙｐｅ）を示す図である。
【０１６１】
本発明の一実施例に係る階層組み合わせタイプ情報は、放送網を介して伝送される階層の組み合わせを示す。例えば、基本階層（ｂａｓｅ  ｌａｙｅｒ）と向上階層２（ｅｎｈａｎｃｅｍｅｎｔ  ｌａｙｅｒ  ２）を含むＵＨＤ放送プログラムの場合に、階層組み合わせタイプ情報は１０１０００００値を示すことができる。
【０１６２】
本発明の一実施例に係る階層組み合わせタイプ情報は、後述するＩＰ網プログラムメタデータに含まれるＩＰ網階層組み合わせタイプ情報と同一の値が割り当てられない。すなわち、階層組み合わせタイプ情報とＩＰ網階層組み合わせタイプ情報が示す値は、互いに重ならないように割り当てることができる。
【０１６３】
同図を説明すると、放送網を介して伝送される階層に１個の基本階層（ｂａｓｅ  ｌａｙｅｒ）と３個の向上階層（ｅｎｈａｎｃｅｍｅｎｔ  ｌａｙｅｒ）が含まれており、上述した放送網プログラムメタデータを含む放送網プログラムディスクリプタ（ＵＨＤ  ｐｒｏｇｒａｍ  ｄｅｓｃｒｉｐｔｏｒ）で１個の基本階層（ｂａｓｅ  ｌａｙｅｒ）と３個の向上階層（ｅｎｈａｎｃｅｍｅｎｔ  ｌａｙｅｒ）の組み合わせをシグナリングした場合、後述するＩＰ網プログラムメタデータを含むＩＰ網プログラムディスクリプタ（ｅｎｈａｎｃｅｍｅｎｔ  ｐｒｏｇｒａｍ  ｄｅｓｃｒｉｐｔｏｒ）では、残りの４個のビット（ｂｉｔ）に対してシグナリングすることができる。例えば、同図で、階層組み合わせタイプ情報が示す値が１０１０００００であれば、後部の００００は、後述するＩＰ網組み合わせタイプ情報によってシグナリングされ得る。
【０１６４】
図１５は、本発明の一実施例に係る階層組み合わせ個数情報（ｎｕｍ_ｌａｙｅｒ_ｃｏｍｂｉｎａｔｉｏｎ）が追加された放送網プログラムメタデータを含む放送網プログラムディスクリプタ（ＵＨＤ  ｐｒｏｇｒａｍ  ｄｅｓｃｒｉｐｔｏｒ）のシンタックスを示す図である。
【０１６５】
本発明の更に他の一実施例に係る放送網プログラムディスクリプタは、同図の前に前述した放送網プログラムディスクリプタに含まれ得る情報及び／又は階層組み合わせ個数情報（ｎｕｍ_ｌａｙｅｒ_ｃｏｍｂｉｎａｔｉｏｎ）を含む。
【０１６６】
同図に含まれた情報のうち、同図の前に前述した放送網プログラムディスクリプタに含まれ得る情報と同じ名称を有する情報に対する説明は、前述した放送網プログラムディスクリプタに含まれ得る情報に対する説明に代える。
【０１６７】
階層組み合わせ個数情報（ｎｕｍ_ｌａｙｅｒ_ｃｏｍｂｉｎａｔｉｏｎ）は、放送網を介して伝送される階層組み合わせの個数を示す。すなわち、階層組み合わせタイプ情報（ｌａｙｅｒ_ｃｏｍｂｉｎａｔｉｏｎ_ｔｙｐｅ）の個数を示す。
【０１６８】
本発明の一実施例によれば、階層組み合わせタイプ情報（ｌａｙｅｒ_ｃｏｍｂｉｎａｔｉｏｎ_ｔｙｐｅ）、組み合わせ解像度情報（ｃｏｍｂｉｎａｔｉｏｎ_ｒｅｓｏｌｕｔｉｏｎ）、組み合わせフレーム速度情報（ｃｏｍｂｉｎａｔｉｏｎ_ｆｒａｍｅ_ｒａｔｅ）、組み合わせビット深度情報（ｃｏｍｂｉｎａｔｉｏｎ_ｂｉｔ_ｄｅｐｔｈ）、組み合わせクロマサブサンプリング情報（ｃｏｍｂｉｎａｔｉｏｎ_ｃｈｒｏｍａ_ｓｕｂｓａｍｐｌｉｎｇ）、組み合わせガマット情報（ｃｏｍｂｉｎａｔｉｏｎ_ｃｏｌｏｒ_ｇａｍｕｔ）及び／又は組み合わせ明るさ領域情報（ｃｏｍｂｉｎａｔｉｏｎ_ＨＤＲ）は、階層組み合わせ個数情報の繰り返し文内に含まれてもよい。これによって、送信側は、当該ＵＨＤ放送プログラムで提供できる全ての階層組み合わせに関する情報を一度に伝送することができる。
【０１６９】
図１６は、本発明の更に他の一実施例に係る階層組み合わせ（ｌａｙｅｒ  ｃｏｍｂｉｎａｔｉｏｎ）と、階層組み合わせによって提供される放送プログラムの個数に対する関係を示す図である。
【０１７０】
同図を説明すると、放送網で伝送される階層は、基本階層（ｌａｙｅｒ_ＩＤ＝０）、向上階層１（ｌａｙｅｒ_ＩＤ＝１）及び向上階層３（ｌａｙｅｒ_ＩＤ＝３）を含む。放送網で伝送される階層に含まれた３個の階層の組み合わせによって、１１０１００００、１００１００００及び１０００００００の値を有する階層組み合わせタイプ情報（ｌａｙｅｒ_ｃｏｍｂｉｎａｔｉｏｎ_ｔｙｐｅ）が生成され得る。
【０１７１】
本発明の一実施例によって、前述した放送網プログラムディスクリプタが階層組み合わせ個数情報（ｎｕｍ_ｌａｙｅｒ_ｃｏｍｂｉｎａｔｉｏｎ）を含み、階層組み合わせタイプ情報（ｌａｙｅｒ_ｃｏｍｂｉｎａｔｉｏｎ_ｔｙｐｅ）が階層組み合わせ個数情報の繰り返し文内に含まれる場合、同図で生成され得る上述した３個の階層組み合わせタイプ情報のうち１つの階層組み合わせタイプ情報が、１個の放送プログラムとして提供され得る。
【０１７２】
図１７は、本発明の一実施例に係るＩＰ網プログラムメタデータを含むＩＰ網プログラムディスクリプタ（ｅｎｈａｎｃｅｍｅｎｔ  ｐｒｏｇｒａｍ  ｄｅｓｃｒｉｐｔｏｒ）のシンタックスを示す図である。
【０１７３】
本発明の一実施例に係るＩＰ網プログラムディスクリプタは、ｄｅｓｃｒｉｐｔｏｒ_ｔａｇ情報、ｄｅｓｃｒｉｐｔｏｒ_ｌｅｎｇｔｈ情報及び／又はＩＰ網プログラムメタデータを含む。
【０１７４】
ｄｅｓｃｒｉｐｔｏｒ_ｔａｇ情報は、当該ディスクリプタがＩＰ網プログラムメタデータを含むディスクリプタであることを識別する。
【０１７５】
ｄｅｓｃｒｉｐｔｏｒ_ｌｅｎｇｔｈ情報は、当該ディスクリプタの長さを示す。
【０１７６】
ＩＰ網プログラムメタデータは、拡張可能フラグ情報（ｉｓ_ｓｃａｌａｂｌｅ_ｆｌａｇ）、インターネットサービスであるか否かの情報（ｉｓ_ＩＰ_ｓｅｒｖｉｃｅ_ｏｎ）、ＵＨＤプログラム解像度情報（ＵＨＤ_ｒｅｓｏｌｕｔｉｏｎ）、ＵＨＤプログラムフレーム速度情報（ＵＨＤ_ｆｒａｍｅ_ｒａｔｅ）、ＵＨＤプログラムビット深度情報（ＵＨＤ_ｂｉｔ_ｄｅｐｔｈ）、ＵＨＤプログラムクロマサブサンプリング情報（ＵＨＤ_ｃｈｒｏｍａ_ｓｕｂｓａｍｐｌｉｎｇ）、ＵＨＤプログラムガマット情報（ＵＨＤ_ｃｏｌｏｒ_ｇａｍｕｔ）、ＵＨＤプログラム明るさ範囲情報（ＵＨＤ_ＨＤＲ）、インターネット接続情報（ｉｐ_ｌｉｎｋａｇｅ_ｉｎｆｏ）、チャネル接続情報（ｃｈａｎｎｅｌ_ｌｉｎｋａｇｅ_ｉｎｆｏ）、ＩＰ網階層個数情報（ｎｕｍ_ｌａｙｅｒ）、ＩＰ網階層識別情報（ｌａｙｅｒ_ＩＤ）、ＩＰ網階層単位ストリームパケット識別情報（ｅｌｅｍｅｎｔａｒｙ_ＰＩＤ）、階層経路情報（ｌａｙｅｒ_ｐａｔｈ）、サービスタイプ情報（ｓｅｒｖｉｃｅ_ｔｙｐｅ）、ＩＰ網階層組み合わせ個数情報（ｎｕｍ_ｌａｙｅｒ_ｃｏｍｂｉｎａｔｉｏｎ）、ＩＰ網階層組み合わせタイプ情報（ｌａｙｅｒ_ｃｏｍｂｉｎａｔｉｏｎ_ｔｙｐｅ）、ＩＰ網階層組み合わせ解像度情報（ｃｏｍｂｉｎａｔｉｏｎ_ｒｅｓｏｌｕｔｉｏｎ）、ＩＰ網階層組み合わせフレーム速度情報（ｃｏｍｂｉｎａｔｉｏｎ_ｆｒａｍｅ_ｒａｔｅ）、ＩＰ網階層組み合わせビット深度情報（ｃｏｍｂｉｎａｔｉｏｎ_ｂｉｔ_ｄｅｐｔｈ）、ＩＰ網階層組み合わせクロマサブサンプリング情報（ｃｏｍｂｉｎａｔｉｏｎ_ｃｈｒｏｍａ_ｓｕｂｓａｍｐｌｉｎｇ）、ＩＰ網階層組み合わせガマット情報（ｃｏｍｂｉｎａｔｉｏｎ_ｃｏｌｏｒ_ｇａｍｕｔ）及び／又はＩＰ網階層組み合わせ明るさ領域情報（ｃｏｍｂｉｎａｔｉｏｎ_ＨＤＲ）を含む。
【０１７７】
拡張可能フラグ情報（ｉｓ_ｓｃａｌａｂｌｅ_ｆｌａｇ）は、ＩＰ網を介して伝送される階層のデータが拡張可能な（ｓｃａｌａｂｌｅ）コーデックでエンコーディングされたか否かを示す。拡張可能フラグ情報が示す値が１であれば、拡張可能な映像コーディング（ｓｃａｌａｂｌｅ  ｖｉｄｅｏ  ｃｏｄｉｎｇ）方式でエンコーディングされたストリームが伝送されることを示す。
【０１７８】
インターネットサービスであるか否かの情報（ｉｓ_ＩＰ_ｓｅｒｖｉｃｅ_ｏｎ）は、インターネット網でＵＨＤサービスを提供する場合、インターネットサービスであるか否かの情報は１値を示すことができる。
【０１７９】
ＵＨＤプログラム解像度情報（ＵＨＤ_ｒｅｓｏｌｕｔｉｏｎ）は、高画質ＵＨＤ放送プログラムが単一ストリームによって提供される場合、高画質ＵＨＤ放送プログラムの解像度を示す。解像度（ｒｅｓｏｌｕｔｉｏｎ）情報及びフレーム速度（ｆｒａｍｅ  ｒａｔｅ）情報は、レベル（ｌｅｖｅｌ）情報で代替されてもよい。
【０１８０】
ＵＨＤプログラムフレーム速度情報（ＵＨＤ_ｆｒａｍｅ_ｒａｔｅ）は、高画質ＵＨＤ放送プログラムが単一ストリームによって提供される場合、高画質ＵＨＤ放送プログラムのフレーム速度を示す。解像度情報及びフレーム速度情報は、レベル情報で代替されてもよい。
【０１８１】
ＵＨＤプログラムビット深度情報（ＵＨＤ_ｂｉｔ_ｄｅｐｔｈ）は、高画質ＵＨＤ放送プログラムが単一ストリームによって提供される場合、高画質ＵＨＤ放送プログラムのビット深度を示す。
【０１８２】
ＵＨＤプログラムクロマサブサンプリング情報（ＵＨＤ_ｃｈｒｏｍａ_ｓｕｂｓａｍｐｌｉｎｇ）は、高画質ＵＨＤ放送プログラムが単一ストリームによって提供される場合、高画質ＵＨＤ放送プログラムのクロマサブサンプリングを示す。
【０１８３】
ＵＨＤプログラムガマット情報（ＵＨＤ_ｃｏｌｏｒ_ｇａｍｕｔ）は、高画質ＵＨＤ放送プログラムが単一ストリームによって提供される場合、高画質ＵＨＤ放送プログラムのカラーガマットを示す。カラーガマットは、ＢＴ．７０９、ｐａｒｔｉａｌ ＢＴ．２０２０、ＢＴ．２０２０、ＤＣＩ−Ｐ３などに分類することができる。
【０１８４】
ＵＨＤプログラム明るさ範囲情報（ＵＨＤ_ＨＤＲ）は、高画質ＵＨＤ放送プログラムが単一ストリームによって提供される場合、高画質ＵＨＤ放送プログラムの明るさ範囲を示す。
【０１８５】
インターネット接続情報（ｉｐ_ｌｉｎｋａｇｅ_ｉｎｆｏ）は、ＩＰ網を介して伝送される各階層に該当するデータの伝送経路に対する情報を示す。インターネット接続情報は、高画質ＵＨＤ放送プログラムが単一ストリームで伝送される場合には、その伝送経路に対する情報を示すことができる。インターネット接続情報は、インターネット網を介してＵＨＤデータ又はＵＨＤを構成できる向上階層データ（ｅｎｈａｎｃｅｍｅｎｔ  ｄａｔａ）を伝送する場合、上述したＵＨＤデータ又はＵＨＤを構成できる向上階層データに対する情報を示すことができる。インターネット接続情報についての詳細は後述する。
【０１８６】
チャネル接続情報（ｃｈａｎｎｅｌ_ｌｉｎｋａｇｅ_ｉｎｆｏ）は、ＵＨＤコンテンツを構成するデータがインターネット網を介して伝送されない場合、他の伝送経路に対する情報を示す。チャネル接続情報は、高画質ＵＨＤ放送プログラムが単一ストリームで伝送される場合にも、インターネット網ではなく、他の伝送経路に対する情報を示す。チャネル接続情報は、インターネット網ではなく他の伝送経路を介して、ＵＨＤデータ又はＵＨＤを構成できる向上階層データを伝送する場合、上述したＵＨＤデータ又はＵＨＤを構成できる向上階層データに対する情報を示すことができる。本発明の一実施例によれば、チャネル接続情報は、ｎｅｔｗｏｒｋ_ｔｙｐｅ情報、ｏｐｅｒａｔｏｒ ＩＤ情報、ｎｅｔｗｏｒｋ_ＩＤ情報、ｓｅｒｖｉｃｅ_ｎｕｍｂｅｒ情報、ｔｒａｎｓｐｏｒｔ_ｓｔｒｅａｍ_ｉｄ情報及び／又はｓｏｕｒｃｅ_ｉｄ情報を含むことができる。ｎｅｔｗｏｒｋ_ｔｙｐｅ情報は、ケーブル（ｃａｂｌｅ）、衛星、地上波などのネットワークの種類を示すことができる。ｏｐｅｒａｔｏｒ ＩＤ情報は事業者識別番号を示すことができる。ｎｅｔｗｏｒｋ_ＩＤ情報はネットワーク識別番号を示すことができる。ｓｅｒｖｉｃｅ_ｎｕｍｂｅｒ情報は、チャネル識別情報、メジャーチャネル番号（ｍａｊｏｒ  ｃｈａｎｎｅｌ  ｎｕｍｂｅｒ）またはマイナーチャネル番号（ｍｉｎｏｒ  ｃｈａｎｎｅｌ  ｎｕｍｂｅｒ）で代替されてもよい。ｔｒａｎｓｐｏｒｔ_ｓｔｒｅａｍ_ｉｄ情報はトランスポートストリームの識別情報を示すことができる。ｓｏｕｒｃｅ_ｉｄ情報は、データが伝送されるソース識別情報を示すことができる。
【０１８７】
ＩＰ網階層個数情報（ｎｕｍ_ｌａｙｅｒ）は、ＩＰ網を介して伝送される階層のデータが拡張可能な（ｓｃａｌａｂｌｅ）コーデックでエンコーディングされた場合、ＩＰ網を介して伝送される階層の個数を示す。
【０１８８】
ＩＰ網階層識別情報（ｌａｙｅｒ_ＩＤ）は、ＩＰ網を介して伝送される階層のデータが拡張可能な（ｓｃａｌａｂｌｅ）コーデックでエンコーディングされた場合、ＩＰ網を介して伝送される各階層を識別することができる。ＩＰ網階層識別情報には、前述した放送網プログラムメタデータに含まれた階層識別情報に割り当てた値と重複しないように値を割り当てることができる。すなわち、前述した放送網プログラムメタデータに含まれた階層識別情報に０、１、２、３の値を割り当てる場合、ＩＰ網プログラムメタデータに含まれたＩＰ網階層識別情報には４、５、６、７の値を割り当てることができる。
【０１８９】
ＩＰ網階層単位ストリームパケット識別情報（ｅｌｅｍｅｎｔａｒｙ_ＰＩＤ）は、ＩＰ網を介して伝送される各階層のデータが含まれた単位ストリームのパケット識別情報を示す。すなわち、ＩＰ網階層単位ストリームパケット識別情報は、ＩＰ網階層識別情報によって識別された階層に該当する単位ストリームのＰＩＤ（Ｐａｃｋｅｔ  ＩＤ）値をシグナリングすることができる。
【０１９０】
階層経路情報（ｌａｙｅｒ_ｐａｔｈ）は、各階層（ｌａｙｅｒ）がどの経路（ｐａｔｈ）を介して伝達されるかを示すことができる。例を挙げて、階層経路情報についての詳細は後述する。
【０１９１】
サービスタイプ情報（ｓｅｒｖｉｃｅ_ｔｙｐｅ）は、ＩＰ網を介して伝送される各階層（ｌａｙｅｒ）で同時に提供できる拡張可能な（ｓｃａｌａｂｌｅ）項目を示す。前述した放送網プログラムメタデータに含まれた拡張可能タイプ情報（ｓｃａｌａｂｌｅ_ｔｙｐｅ）と同一の情報を示すことができる。例えば、本発明の一実施例に係るＩＰ網で伝送されるいずれか１つの向上階層で、ビット深度（ｂｉｔ−ｄｅｐｔｈ）及びフレーム速度（ｆｒａｍｅ  ｒａｔｅ）に対して拡張可能な映像コーディング（ｓｃａｌａｂｌｅ  ｖｉｄｅｏ  ｃｏｄｉｎｇ）を提供する場合、拡張可能タイプ情報は０１１０００値を示すことができる。また、本発明の一実施例によれば、拡張可能な項目は、解像度（ｒｅｓｏｌｕｔｉｏｎ）、フレーム速度（ｆｒａｍｅ  ｒａｔｅ）、ビット深度（ｂｉｔ  ｄｅｐｔｈ）、クロマサブサンプリング（ｃｈｒｏｍａ  ｓｕｂｓａｍｐｌｉｎｇ）、ガマット（ｃｏｌｏｒ  ｇａｍｕｔ）及び明るさ領域（Ｈｉｇｈ  Ｄｙｎａｍｉｃ  Ｒａｎｇｅ；ＨＤＲ）以外に他の項目を含むことができ、上述した項目のうち特定の項目が除外されてもよい。本発明の一実施例に係る拡張可能な項目を、タイプ情報を用いて提供することによって、送信側は、複数個の拡張可能な項目に対する情報を同時に提供することができる。
【０１９２】
ＩＰ網階層組み合わせ個数情報（ｎｕｍ_ｌａｙｅｒ_ｃｏｍｂｉｎａｔｉｏｎ）は、ＩＰ網を介して伝送される階層のデータが拡張可能な（ｓｃａｌａｂｌｅ）コーデックでエンコーディングされた場合、高画質ＵＨＤ放送プログラムで提供できる階層組み合わせの個数を示すことができる。ＩＰ網階層組み合わせ個数情報は、ＩＰ網を介して伝送される階層組み合わせの個数を示す。
【０１９３】
ＩＰ網階層組み合わせタイプ情報（ｌａｙｅｒ_ｃｏｍｂｉｎａｔｉｏｎ_ｔｙｐｅ）は、ＩＰ網を介して伝送される階層のデータが拡張可能な（ｓｃａｌａｂｌｅ）コーデックでエンコーディングされた場合、ＩＰ網を介して伝送される階層の組み合わせ情報を示す。ＩＰ網階層組み合わせタイプ情報に割り当てる値は、前述した放送網プログラムメタデータに含まれた階層組み合わせタイプ情報に割り当てた値と重複しないように値を割り当てることができる。すなわち、前述した放送網プログラムメタデータに含まれた階層組み合わせタイプ情報に４ｂｉｔが割り当てられた場合、残りの４ｂｉｔは、ＩＰ網プログラムメタデータに含まれたＩＰ網階層組み合わせタイプ情報に割り当てることができる。言い換えると、前述した放送網プログラムメタデータにおいて、地上波放送網又はケーブル網（ＲＦ  ｏｒ  ｃａｂｌｅ）で伝送される階層（ｌａｙｅｒ）をシグナリングするために階層組み合わせタイプ情報に４ｂｉｔが割り当てられた場合、残りの４ｂｉｔは、インターネット網で伝送される向上階層（ｅｎｈａｎｃｅｍｅｎｔ  ｌａｙｅｒ）の組み合わせ情報を示すＩＰ網階層組み合わせタイプ情報に割り当てることができる。
【０１９４】
ＩＰ網階層組み合わせ解像度情報（ｃｏｍｂｉｎａｔｉｏｎ_ｒｅｓｏｌｕｔｉｏｎ）は、ＩＰ網階層組み合わせタイプ情報に従って組み合わされた階層が提供するプログラムの解像度を示す。
【０１９５】
ＩＰ網階層組み合わせフレーム速度情報（ｃｏｍｂｉｎａｔｉｏｎ_ｆｒａｍｅ_ｒａｔｅ）は、ＩＰ網階層組み合わせタイプ情報に従って組み合わされた階層が提供するプログラムのフレーム速度を示す。
【０１９６】
ＩＰ網階層組み合わせビット深度情報（ｃｏｍｂｉｎａｔｉｏｎ_ｂｉｔ_ｄｅｐｔｈ）は、ＩＰ網階層組み合わせタイプ情報に従って組み合わされた階層が提供するプログラムのビット深度を示す。
【０１９７】
ＩＰ網階層組み合わせクロマサブサンプリング情報（ｃｏｍｂｉｎａｔｉｏｎ_ｃｈｒｏｍａ_ｓｕｂｓａｍｐｌｉｎｇ）は、ＩＰ網階層組み合わせタイプ情報に従って組み合わされた階層が提供するプログラムのクロマサブサンプリングを示す。
【０１９８】
ＩＰ網階層組み合わせガマット情報（ｃｏｍｂｉｎａｔｉｏｎ_ｃｏｌｏｒ_ｇａｍｕｔ）は、ＩＰ網階層組み合わせタイプ情報に従って組み合わされた階層が提供するプログラムのカラーガマットを示す。
【０１９９】
ＩＰ網階層組み合わせ明るさ領域情報（ｃｏｍｂｉｎａｔｉｏｎ_ＨＤＲ）は、ＩＰ網階層組み合わせタイプ情報に従って組み合わされた階層が提供するプログラムの明るさ領域を示す。
【０２００】
本発明の一実施例に係るＩＰ網プログラムディスクリプタに含まれたＩＰ網プログラムメタデータは、インターネット網で向上階層（ｅｎｈａｎｃｅｍｅｎｔ  ｌａｙｅｒ）のストリームが伝送されたり、全体プログラムが伝送される場合、放送プログラムの構成情報をシグナリングすることができる。ＩＰ網プログラムメタデータは、インターネット網の情報に対しても追加的にシグナリングすることができる。
【０２０１】
本発明の一実施例に係るＩＰ網プログラムディスクリプタは、ＰＳＩでＰＭＴのプログラムレベルディスクリプタ（ｐｒｏｇｒａｍ  ｌｅｖｅｌ  ｄｅｓｃｒｉｐｔｏｒ）に含まれてもよく、ＰＳＩＰでＴＶＣＴ／ＣＶＣＴのチャネルレベルディスクリプタ（ｃｈａｎｎｅｌ  ｌｅｖｅｌ  ｄｅｓｃｒｉｐｔｏｒ）に含まれてもよく、ＳＩでＳＤＴ／ＥＩＴのサービス／イベントレベルディスクリプタ（ｓｅｒｖｉｃｅ／ｅｖｅｎｔ  ｌｅｖｅｌ  ｄｅｓｃｒｉｐｔｏｒ）に含まれてもよい。上述したＰＭＴ、ＰＳＩＰ、ＴＶＣＴ／ＣＶＣＴ及びＳＤＴについての詳細は後述する。
【０２０２】
本発明の一実施例に係るＩＰ網プログラムディスクリプタに含まれたＩＰ網プログラムメタデータは、ＩＰ網だけでなく、地上波放送網、ケーブル網などのネットワーク網を介して伝送される高画質ＵＨＤ放送コンテンツに対する情報を含むことができる。
【０２０３】
図１８は、本発明の一実施例に係る階層経路情報（ｌａｙｅｒ_ｐａｔｈ）が示す値による意味を示す図である。
【０２０４】
本発明の一実施例に係る階層経路情報が示す値が０１であれば、当該階層は、現在の放送網と同一のチャネルでサービスされることを示し、１０であれば、現在の放送網と異なるチャネルでサービスされることを示し、１１であれば、当該階層がＩＰ網でサービスされることを示すことができる。
【０２０５】
本発明の一実施例に係る階層経路情報が示す値が０１の場合、ＴＳのＰＩＤが含まれてもよい。階層経路情報が示す値が１０の場合、ケーブル又は衛星などのｎｅｔｗｏｒｋ_ｔｙｐｅ情報、事業者識別番号（ｏｐｅｒａｔｏｒ  ＩＤ）、ネットワーク識別番号（ｎｅｔｗｏｒｋ_ｉｄ）、ｓｅｒｖｉｃｅ_ｎｕｍｂｅｒ、チャネル識別番号（ｍａｊｏｒ  ｃｈａｎｎｅｌ  ｎｕｍｂｅｒ  ｏｒ  ｍｉｎｏｒ  ｃｈａｎｎｅｌ  ｎｕｍｂｅｒ）、ｔｒａｎｓｐｏｒｔ_ｓｔｒｅａｍ_ｉｄ及び／又はｓｏｕｒｃｅ_ｉｄ情報が含まれてもよい。階層経路情報が示す値が１１の場合、ＩＰ ａｄｄｒｅｓｓ及び／又はＵＤＰ ｐｏｒｔ ｎｕｍｂｅｒ情報が含まれてもよい。
【０２０６】
図１９は、本発明の一実施例に係る広域明るさ範囲領域（Ｈｉｇｈ  Ｄｙｎａｍｉｃ  Ｒａｎｇｅ；ＨＤＲ）を示す図である。
【０２０７】
本発明の一実施例に係るＨＤＲは、同図に示したように、コンベンショナルケイパビリティ（ｃｏｎｖｅｎｔｉｏｎａｌ  ｃａｐａｂｉｌｉｔｙ）、ミッドルミナンスケイパビリティ（ｍｉｄ  ｌｕｍｉｎａｎｃｅ  ｃａｐａｂｉｌｉｔｙ）及びハイルミナンスケイパビリティ（ｈｉｇｈ  ｌｕｍｉｎａｎｃｅ  ｃａｐａｂｉｌｉｔｙ）に区分することができる。したがって、本発明の一実施例に係る放送網プログラムメタデータに含まれた組み合わせ明るさ領域情報（ｃｏｍｂｉｎａｔｉｏｎ_ＨＤＲ）、ＩＰ網プログラムメタデータに含まれたＩＰ網階層組み合わせ明るさ領域情報（ｃｏｍｂｉｎａｔｉｏｎ_ＨＤＲ）またはＵＨＤプログラム明るさ範囲情報（ＵＨＤ_ＨＤＲ）は、上述したコンベンショナルケイパビリティ、ミッドルミナンスケイパビリティ及びハイルミナンスケイパビリティのいずれか１つのＨＤＲを示すことができる。
【０２０８】
本発明の一実施例によれば、上述したＨＤＲ領域以外に任意の最小値及び最大値（ｃｄ／ｍ2）を指定して、組み合わせ明るさ領域情報、ＩＰ網階層組み合わせ明るさ領域情報及び／又はＵＨＤプログラム明るさ範囲情報をシグナリングすることができる。
【０２０９】
図２０は、本発明の一実施例に係るインターネット接続情報（ｉｐ_ｌｉｎｋａｇｅ_ｉｎｆｏ）のシンタックスを示す図である。
【０２１０】
本発明の一実施例に係るインターネット接続情報（ｉｐ_ｌｉｎｋａｇｅ_ｉｎｆｏ）は、ｄｅｓｃｒｉｐｔｏｒ_ｔａｇ情報、ｄｅｓｃｒｉｐｔｏｒ_ｌｅｎｇｔｈ情報、ＩＰアドレスタイプ情報（ＩＰ_ａｄｄｒｅｓｓ_ｔｙｐｅ）、ＩＰアドレス情報（ＩＰｖ４_ａｄｄｒｅｓｓ）、ポートナンバー情報（ｐｏｒｔ_ｎｕｍｂｅｒ）、ＵＲＩ長さ情報（ＥＬ_ＵＲＩ_ｌｅｎｇｔｈ）及び／又はＵＲＩ情報（ＥＬ_ＵＲＩ−ｂｙｔｅ）を含む。
【０２１１】
ｄｅｓｃｒｉｐｔｏｒ_ｔａｇ情報は、当該ディスクリプタがインターネット接続情報を含むディスクリプタであることを識別する。
【０２１２】
ｄｅｓｃｒｉｐｔｏｒ_ｌｅｎｇｔｈ情報は、当該ディスクリプタの長さを示す。
【０２１３】
ＩＰアドレスタイプ情報（ＩＰ_ａｄｄｒｅｓｓ_ｔｙｐｅ）は、ＩＰ網を介して伝送される各階層のデータを受信することができるＩＰアドレスのタイプを示す。ＩＰアドレスタイプ情報についての詳細は後述する。
【０２１４】
ＩＰアドレス情報（ＩＰｖ４_ａｄｄｒｅｓｓ）は、ＩＰアドレスタイプ情報（ＩＰ_ａｄｄｒｅｓｓ_ｔｙｐｅ）によるタイプのＩＰアドレスを示す。ＩＰアドレス情報は、ルーティングを行うためのネットワークアドレス値を示し、タイプによってビット（ｂｉｔ）を割り当ててＩＰアドレスをシグナリングすることができる。ＩＰアドレス情報は、ＩＰｖ４タイプによるアドレス又はＩＰｖ６タイプによるアドレスを示すことができる。
【０２１５】
ポートナンバー情報（ｐｏｒｔ_ｎｕｍｂｅｒ）は、ＩＰ網を介して伝送される各階層のデータを受信することができるＵＤＰポートナンバーを示す。
【０２１６】
ＵＲＩ長さ情報（ＥＬ_ＵＲＩ_ｌｅｎｇｔｈ）は、ストリーミングサービスが提供される場合にストリーミングされるファイルに対するＵＲＩの長さを示すことができる。
【０２１７】
ＵＲＩ情報（ＥＬ_ＵＲＩ−ｂｙｔｅ）は、ストリーミングサービスが提供される場合にストリーミングされるファイルに対するＵＲＩを示すことができる。
【０２１８】
図２１は、本発明の一実施例に係るＩＰアドレスタイプ情報（ＩＰ_ａｄｄｒｅｓｓ_ｔｙｐｅ）を示す図である。
【０２１９】
本発明の一実施例に係るＩＰアドレスタイプ情報は、ＩＰアドレスが３２ｂｉｔで構成されるＩＰｖ４であるか、または１２８ｂｉｔで構成されるＩＰｖ６であるかを区分することができる。
【０２２０】
同図を説明すると、ＩＰアドレスタイプ情報が００であれば、ＩＰｖ４を示し、０１であれば、ＩＰｖ６を示すことができる。
【０２２１】
図２２は、本発明の一実施例に係るＰＭＴ（Ｐｒｏｇｒａｍ  Ｍａｐ  Ｔａｂｌｅ）のシンタックスを示す図である。
【０２２２】
本発明の一実施例に係る放送網プログラムディスクリプタ及び／又はＩＰ網プログラムメタデータは、本発明の一実施例に係るＰＭＴのプログラムレベルディスクリプタ（ｐｒｏｇｒａｍ  ｌｅｖｅｌ  ｄｅｓｃｒｉｐｔｏｒ）に含まれてもよい。
【０２２３】
本発明の一実施例に係るＰＭＴは、ｔａｂｌｅ_ｉｄフィールド、ｓｅｃｔｉｏｎ_ｓｙｎｔａｘ_ｉｎｄｉｃａｔｏｒフィールド、ｓｅｃｔｉｏｎ_ｌｅｎｇｔｈフィールド、ｐｒｏｇｒａｍ_ｎｕｍｂｅｒフィールド、ｖｅｒｓｉｏｎ_ｎｕｍｂｅｒフィールド、ｃｕｒｒｅｎｔ_ｎｅｘｔ_ｉｎｄｉｃａｔｏｒフィールド、ｓｅｃｔｉｏｎ_ｎｕｍｂｅｒフィールド、ｌａｓｔ_ｓｅｃｔｉｏｎ_ｎｕｍｂｅｒフィールド、ＰＣＲ_ＰＩＤフィールド、ｐｒｏｇｒａｍ_ｉｎｆｏ_ｌｅｎｇｔｈフィールド、ｄｅｓｃｒｉｐｔｏｒ（）、ｓｔｒｅａｍ_ｔｙｐｅフィールド、ｅｌｅｍｅｎｔａｒｙ_ＰＩＤフィールド、ＥＳ_ｉｎｆｏ_ｌｅｎｇｔｈフィールド、ｄｅｓｃｒｉｐｔｏｒ（）及び／又はＣＲＣ_３２フィールドを含む。
【０２２４】
ｔａｂｌｅ_ｉｄフィールドは、テーブルのタイプを識別する。ｔａｂｌｅ_ｉｄフィールドは、当該テーブルセクションがＰＭＴを構成するセクションであることを示す役割を果たすことができる。
【０２２５】
ｓｅｃｔｉｏｎ_ｓｙｎｔａｘ_ｉｎｄｉｃａｔｏｒフィールドは、当該フィールドに後続するテーブルセクションのフォーマットを示す。当該フィールドの値が０であれば、当該テーブルセクションはショート（ｓｈｏｒｔ）フォーマットであることを示す。当該フィールドの値が１であれば、当該テーブルセクションは一般的なロング（ｌｏｎｇ）フォーマットに従う。
【０２２６】
ｓｅｃｔｉｏｎ_ｌｅｎｇｔｈフィールドは、当該テーブルセクションの長さを示す。ｓｅｃｔｉｏｎ_ｌｅｎｇｔｈフィールドは、当該フィールド以降から当該テーブルセクションの最後までの長さを示すので、当該テーブルセクションの実際の長さは、ｓｅｒｃｉｏｎ_ｌｅｎｇｔｈフィールドが示す値に３バイトを加算した値となり得る。
【０２２７】
ｐｒｏｇｒａｍ_ｎｕｍｂｅｒフィールドは、トランスポートストリーム内に存在する各プログラムサービスまたは仮想チャネル（ｖｉｒｔｕａｌ  ｃｈａｎｎｅｌ）を識別する。
【０２２８】
ｖｅｒｓｉｏｎ_ｎｕｍｂｅｒフィールドは、プライベートテーブルセクション（ｐｒｉｖａｔｅ  ｔａｂｌｅ  ｓｅｃｔｉｏｎ）のバージョンナンバーを示す。受信機は、当該フィールド及び後述するｃｕｒｒｅｎｔ_ｎｅｘｔ_ｉｎｄｉｃａｔｏｒフィールドを用いて、メモリに格納されているテーブルセクションのうち最も最近のものを見つけることができる。
【０２２９】
ｃｕｒｒｅｎｔ_ｎｅｘｔ_ｉｎｄｉｃａｔｏｒフィールドが示す値が１であれば、現在伝送されるテーブルが有効であることを示し、０であれば、現在伝送されるテーブルが、現在は有効でないが、以降に有効になることを示す。
【０２３０】
ｓｅｃｔｉｏｎ_ｎｕｍｂｅｒフィールドは、当該セクションが当該テーブルの何番目のセクションであるかを示す。
【０２３１】
ｌａｓｔ_ｓｅｃｔｉｏｎ_ｎｕｍｂｅｒフィールドは、当該テーブルを構成しているセクションのうち最後のセクションの順番を示す。
【０２３２】
ＰＣＲ_ＰＩＤフィールドは、プログラムサービスのためのＰＣＲ（Ｐｒｏｇｒａｍ  Ｃｌｏｃｋ  Ｒｅｆｅｒｅｎｃｅ）が存在するパケットＩＤ（ｐａｃｋｅｔ  ＩＤ）を示す。
【０２３３】
ｐｒｏｇｒａｍ_ｉｎｆｏ_ｌｅｎｇｔｈフィールドは、後続する、プログラム情報（ｐｒｏｇｒａｍ_ｉｎｆｏ）を示すディスクリプタの長さを示す。
【０２３４】
ｄｅｓｃｒｉｐｔｏｒ（）は、当該テーブルセクションに該当するプログラムに対する情報を示すディスクリプタを意味する。本発明の一実施例に係る放送網プログラムディスクリプタ及び／又はＩＰ網プログラムディスクリプタが、上述したｄｅｓｃｒｉｐｔｏｒ（）に該当し得る。
【０２３５】
ｓｔｒｅａｍ_ｔｙｐｅフィールドは、当該テーブルが説明しているプログラムを構成する各単位ストリームの種類を示す。
【０２３６】
ｅｌｅｍｅｎｔａｒｙ_ＰＩＤフィールドは、当該テーブルが説明しているプログラムを構成する各単位ストリームのパケットＩＤ（ｐａｃｋｅｔ  ＩＤ）を示す。
【０２３７】
ＥＳ_ｉｎｆｏ_ｌｅｎｇｔｈフィールドは、後続する各単位ストリームに対する情報（ＥＳ_ｉｎｆｏ）を示すディスクリプタの長さを示す。
【０２３８】
ｄｅｓｃｒｉｐｔｏｒ（）は、当該テーブルが説明しているプログラムを構成する単位ストリームのうち１つの単位ストリームに対する情報を示すディスクリプタを意味する。
【０２３９】
ＣＲＣ_３２フィールドは、当該テーブルセクションに含まれたデータにエラーがあるかを確認するために使用されるＣＲＣ値を示す。
【０２４０】
図２３は、本発明の一実施例に係るＳＤＴ（Ｓｅｒｖｉｃｅ  Ｄｅｓｃｒｉｐｔｉｏｎ  Ｔａｂｌｅ）のシンタックスを示す図である。
【０２４１】
本発明の一実施例に係る放送網プログラムディスクリプタ及び／又はＩＰ網プログラムメタデータは、本発明の一実施例に係るＳＤＴのサービスレベルディスクリプタ（ｓｅｒｖｉｃｅ  ｌｅｖｅｌ  ｄｅｓｃｒｉｐｔｏｒ）に含まれてもよい。
【０２４２】
本発明の一実施例に係るＳＤＴは、ｔａｂｌｅ_ｉｄフィールド、ｓｅｃｔｉｏｎ_ｓｙｎｔａｘ_ｉｎｄｉｃａｔｏｒフィールド、ｓｅｃｔｉｏｎ_ｌｅｎｇｔｈフィールド、ｔｒａｎｓｐｏｒｔ_ｓｔｒｅａｍ_ｉｄフィールド、ｖｅｒｓｉｏｎ_ｎｕｍｂｅｒフィールド、ｃｕｒｒｅｎｔ_ｎｅｘｔ_ｉｎｄｉｃａｔｏｒフィールド、ｓｅｃｔｉｏｎ_ｎｕｍｂｅｒフィールド、ｌａｓｔ_ｓｅｃｔｉｏｎ_ｎｕｍｂｅｒフィールド、ｏｒｉｇｉｎａｌ_ｎｅｔｗｏｒｋ_ｉｄフィールド、ｓｅｒｖｉｃｅ_ｉｄフィールド、ＥＩＴ_ｓｃｈｅｄｕｌｅ_ｆｌａｇフィールド、ＥＩＴ_ｐｒｅｓｅｎｔ_ｆｏｌｌｏｗｉｎｇ_ｆｌａｇフィールド、ｒｕｎｎｉｎｇ_ｓｔａｔｕｓフィールド、ｆｒｅｅ_ＣＡ_ｍｏｄｅフィールド、ｄｅｓｃｒｉｐｔｏｒｓ_ｌｏｏｐ_ｌｅｎｇｔｈフィールド、ｄｅｓｃｒｉｐｔｏｒ（）及び／又はＣＲＣ_３２フィールドを含む。
【０２４３】
ｔａｂｌｅ_ｉｄフィールドは、テーブルのタイプを識別する。ｔａｂｌｅ_ｉｄフィールドは、当該テーブルセクションがＳＤＴを構成するセクションであることを示す役割を果たすことができる。
【０２４４】
ｓｅｃｔｉｏｎ_ｓｙｎｔａｘ_ｉｎｄｉｃａｔｏｒフィールドは、当該フィールドに後続するテーブルセクションのフォーマットを示す。当該フィールドの値が０であれば、当該テーブルセクションはショート（ｓｈｏｒｔ）フォーマットであることを示す。当該フィールドの値が１であれば、当該テーブルセクションは一般的なロング（ｌｏｎｇ）フォーマットに従う。
【０２４５】
ｓｅｃｔｉｏｎ_ｌｅｎｇｔｈフィールドは、当該テーブルセクションの長さを示す。ｓｅｃｔｉｏｎ_ｌｅｎｇｔｈフィールドは、当該フィールド以降から当該テーブルセクションの最後までの長さを示すことができる。
【０２４６】
ｔｒａｎｓｐｏｒｔ_ｓｔｒｅａｍ_ｉｄフィールドは、当該テーブルで説明しようとするトランスポートストリーム（ＴＳ）を識別する。
【０２４７】
ｖｅｒｓｉｏｎ_ｎｕｍｂｅｒフィールドは、プライベートテーブルセクション（ｐｒｉｖａｔｅ  ｔａｂｌｅ  ｓｅｃｔｉｏｎ）のバージョンナンバーを示す。受信機は、当該フィールド及び後述するｃｕｒｒｅｎｔ_ｎｅｘｔ_ｉｎｄｉｃａｔｏｒフィールドを用いて、メモリに格納されているテーブルセクションのうち最も最近のものを見つけることができる。
【０２４８】
ｃｕｒｒｅｎｔ_ｎｅｘｔ_ｉｎｄｉｃａｔｏｒフィールドが示す値が１であれば、現在伝送されるテーブルが有効であることを示し、０であれば、現在伝送されるテーブルが、現在は有効でないが、以降に有効になることを示す。
【０２４９】
ｓｅｃｔｉｏｎ_ｎｕｍｂｅｒフィールドは、当該セクションが当該テーブルの何番目のセクションであるかを示す。
【０２５０】
ｌａｓｔ_ｓｅｃｔｉｏｎ_ｎｕｍｂｅｒフィールドは、当該テーブルを構成しているセクションのうち最後のセクションの順番を示す。
【０２５１】
ｏｒｉｇｉｎａｌ_ｎｅｔｗｏｒｋ_ｉｄフィールドは、当該テーブルで記述するサービスを伝送した最初の放送局を識別することができる。
【０２５２】
ｓｅｒｖｉｃｅ_ｉｄフィールドは、トランスポートストリーム内に存在する各サービスを識別する。ｓｅｒｖｉｃｅ_ｉｄフィールドは、ＰＭＴでｐｒｏｇｒａｍ_ｎｕｍｂｅｒフィールドとその機能が同一であってもよい。
【０２５３】
ＥＩＴ_ｓｃｈｅｄｕｌｅ_ｆｌａｇフィールドが示す値が１であれば、現在のＴＳ内にサービスのためのＥＩＴスケジュール情報（ＥＩＴ  ｓｃｈｅｄｕｌｅ  ｆｌａｇ）が存在することを示し、０であれば、存在しないことを示す。
【０２５４】
ＥＩＴ_ｐｒｅｓｅｎｔ_ｆｏｌｌｏｗｉｎｇ_ｆｌａｇフィールドが示す値が１であれば、現在のＴＳ内にサービスのためのＥＩＴ_ｐｒｅｓｅｎｔ_ｆｏｌｌｏｗｉｎｇ情報が存在することを示し、０であれば、存在しないことを示す。
【０２５５】
ｒｕｎｎｉｎｇ_ｓｔａｔｕｓフィールドは、サービスの状態を示す。例えば、ｒｕｎｎｉｎｇ_ｓｔａｔｕｓフィールドの値が１であれば、サービスが“ｎｏｔ ｒｕｎｎｉｎｇ”であることを示し、２であれば、“ｓｔａｒｔｓ ｉｎ ａ ｆｅｗ ｓｅｃｏｎｄｓ”であることを示し、３であれば、“ｐａｕｓｉｎｇ”であることを示し、４であれば、“ｒｕｎｎｉｎｇ”であることを示し、５であれば、“ｓｅｒｖｉｃｅ ｏｆｆ−ａｉｒ”であることを示すことができる。
【０２５６】
ｆｒｅｅ_ＣＡ_ｍｏｄｅフィールドが示す値が０であれば、サービスを構成するコンポーネントストリームがスクランブルされていないことを示し、１であれば、１つ以上のストリームに対する接近がＣＡシステムによって調節されることを示す。ＣＡシステムは、Ｃｏｎｄｉｔｉｏｎａｌ Ａｃｃｅｓｓ Ｓｙｓｔｅｍの略語であって、放送の視聴を契約者に限定するために、放送コンテンツの暗号化機能、及び契約者のみが暗号を解いて放送コンテンツを視聴できる機能を提供するシステムを意味する。
【０２５７】
ｄｅｓｃｒｉｐｔｏｒｓ_ｌｏｏｐ_ｌｅｎｇｔｈフィールドは、当該フィールドに後続するディスクリプタの長さを合算した値を示す。
【０２５８】
ｄｅｓｃｒｉｐｔｏｒ（）は、各サービスに対して記述するディスクリプタを意味する。本発明の一実施例に係る放送網プログラムディスクリプタ及び／又はＩＰ網プログラムディスクリプタが、上述したｄｅｓｃｒｉｐｔｏｒ（）に該当し得る。
【０２５９】
ＣＲＣ_３２フィールドは、当該テーブルセクションに含まれたデータにエラーがあるかを確認するために使用されるＣＲＣ値を示す。
【０２６０】
図２４は、本発明の一実施例に係るＥＩＴ（Ｅｖｅｎｔ  Ｉｎｆｏｒｍａｔｉｏｎ  Ｔａｂｌｅ）のシンタックスを示す図である。
【０２６１】
本発明の一実施例に係る放送網プログラムディスクリプタ及び／又はＩＰ網プログラムメタデータは、本発明の一実施例に係るＥＩＴのイベントレベルディスクリプタ（ｅｖｅｎｔ  ｌｅｖｅｌ  ｄｅｓｃｒｉｐｔｏｒ）に含まれてもよい。
【０２６２】
本発明の一実施例に係るＥＩＴは、ｔａｂｌｅ_ｉｄフィールド、ｓｅｃｔｉｏｎ_ｓｙｎｔａｘ_ｉｎｄｉｃａｔｏｒフィールド、ｓｅｃｔｉｏｎ_ｌｅｎｇｔｈフィールド、ｓｅｒｖｉｃｅ_ｉｄフィールド、ｖｅｒｓｉｏｎ_ｎｕｍｂｅｒフィールド、ｃｕｒｒｅｎｔ_ｎｅｘｔ_ｉｎｄｉｃａｔｏｒフィールド、ｓｅｃｔｉｏｎ_ｎｕｍｂｅｒフィールド、ｌａｓｔ_ｓｅｃｔｉｏｎ_ｎｕｍｂｅｒフィールド、ｔｒａｎｓｐｏｒｔ_ｓｔｒｅａｍ_ｉｄフィールド、ｏｒｉｇｉｎａｌ_ｎｅｔｗｏｒｋ_ｉｄフィールド、ｓｅｇｍｅｎｔ_ｌａｓｔ_ｓｅｃｔｉｏｎ_ｎｕｍｂｅｒフィールド、ｌａｓｔ_ｔａｂｌｅ_ｉｄフィールド、ｅｖｅｎｔ_ｉｄフィールド、ｓｔａｒｔ_ｔｉｍｅフィールド、ｄｕｒａｔｉｏｎフィールド、ｒｕｎｎｉｎｇ_ｓｔａｔｕｓフィールド、ｆｒｅｅ_ＣＡ_ｍｏｄｅフィールド、ｄｅｓｃｒｉｐｔｏｒｓ_ｌｏｏｐ_ｌｅｎｇｔｈフィールド、ｄｅｓｃｒｉｐｔｏｒ（）及び／又はＣＲＣ_３２フィールドを含む。
【０２６３】
ｔａｂｌｅ_ｉｄフィールドは、テーブルのタイプを識別する。ｔａｂｌｅ_ｉｄフィールドは、当該テーブルセクションがＥＩＴを構成するセクションであることを示す役割を果たすことができる。
【０２６４】
ｓｅｃｔｉｏｎ_ｓｙｎｔａｘ_ｉｎｄｉｃａｔｏｒフィールドは、当該フィールドに後続するテーブルセクションのフォーマットを示す。当該フィールドの値が０であれば、当該テーブルセクションはショート（ｓｈｏｒｔ）フォーマットであることを示す。当該フィールドの値が１であれば、当該テーブルセクションは一般的なロング（ｌｏｎｇ）フォーマットに従う。
【０２６５】
ｓｅｃｔｉｏｎ_ｌｅｎｇｔｈフィールドは、当該テーブルセクションの長さを示す。ｓｅｃｔｉｏｎ_ｌｅｎｇｔｈフィールドは、当該フィールド以降から当該テーブルセクションの最後までの長さを示すことができる。
【０２６６】
ｓｅｒｖｉｃｅ_ｉｄフィールドは、トランスポートストリーム内に存在する各サービスを識別する。ｓｅｒｖｉｃｅ_ｉｄフィールドは、ＰＭＴでｐｒｏｇｒａｍ_ｎｕｍｂｅｒフィールドとその機能が同一であってもよい。
【０２６７】
ｖｅｒｓｉｏｎ_ｎｕｍｂｅｒフィールドは、プライベートテーブルセクション（ｐｒｉｖａｔｅ  ｔａｂｌｅ  ｓｅｃｔｉｏｎ）のバージョンナンバーを示す。受信機は、当該フィールド及び後述するｃｕｒｒｅｎｔ_ｎｅｘｔ_ｉｎｄｉｃａｔｏｒフィールドを用いて、メモリに格納されているテーブルセクションのうち最も最近のものを見つけることができる。
【０２６８】
ｃｕｒｒｅｎｔ_ｎｅｘｔ_ｉｎｄｉｃａｔｏｒフィールドが示す値が１であれば、現在伝送されるテーブルが有効であることを示し、０であれば、現在伝送されるテーブルが、現在は有効でないが、以降に有効になることを示す。
【０２６９】
ｓｅｃｔｉｏｎ_ｎｕｍｂｅｒフィールドは、当該セクションが当該テーブルの何番目のセクションであるかを示す。
【０２７０】
ｌａｓｔ_ｓｅｃｔｉｏｎ_ｎｕｍｂｅｒフィールドは、当該テーブルを構成しているセクションのうち最後のセクションの順番を示す。
【０２７１】
ｔｒａｎｓｐｏｒｔ_ｓｔｒｅａｍ_ｉｄフィールドは、当該テーブルで説明しようとするトランスポートストリーム（ＴＳ）を識別する。
【０２７２】
ｏｒｉｇｉｎａｌ_ｎｅｔｗｏｒｋ_ｉｄフィールドは、当該テーブルで記述するサービスまたはイベントを伝送した最初の放送局を識別することができる。
【０２７３】
ｓｅｇｍｅｎｔ_ｌａｓｔ_ｓｅｃｔｉｏｎ_ｎｕｍｂｅｒフィールドは、サブテーブル（ｓｕｂ  ｔａｂｌｅ）が存在する場合、当該セグメントの最後のセクションナンバーを示す。サブテーブルが分割されない場合、当該フィールドが示す値は、ｌａｓｔ_ｓｅｃｔｉｏｎ_ｎｕｍｂｅｒフィールドが示す値と同じ値を示すことができる。
【０２７４】
ｌａｓｔ_ｔａｂｌｅ_ｉｄフィールドは、使用された最後のｔａｂｌｅ_ｉｄを示す。
【０２７５】
ｅｖｅｎｔ_ｉｄフィールドは、それぞれのイベントを識別し、一つのサービス内で唯一の値を有する。
【０２７６】
ｓｔａｒｔ_ｔｉｍｅフィールドは、当該イベントの開始時間を示す。
【０２７７】
ｄｕｒａｔｉｏｎフィールドは、当該イベントの持続時間を示す。例えば、１時間４５分３０秒間持続するプログラムであれば、ｄｕｒａｔｉｏｎフィールドは０ｘ０１４５３０値を示すことができる。
【０２７８】
ｒｕｎｎｉｎｇ_ｓｔａｔｕｓフィールドは、当該イベントの状態を示す。
【０２７９】
ｆｒｅｅ_ＣＡ_ｍｏｄｅフィールドが示す値が０であれば、サービスを構成するコンポーネントストリームがスクランブルされていないことを示し、１であれば、１つ以上のストリームに対する接近がＣＡシステムによって調節されることを示す。ＣＡシステムは、Ｃｏｎｄｉｔｉｏｎａｌ Ａｃｃｅｓｓ Ｓｙｓｔｅｍの略語であって、放送の視聴を契約者に限定するために、放送コンテンツの暗号化機能、及び契約者のみが暗号を解いて放送コンテンツを視聴できる機能を提供するシステムを意味する。
【０２８０】
ｄｅｓｃｒｉｐｔｏｒｓ_ｌｏｏｐ_ｌｅｎｇｔｈフィールドは、当該フィールドに後続するディスクリプタの長さを合算した値を示す。
【０２８１】
ｄｅｓｃｒｉｐｔｏｒ（）は、各イベントに対して記述するディスクリプタを意味する。本発明の一実施例に係る放送網プログラムディスクリプタ及び／又はＩＰ網プログラムディスクリプタが、上述したｄｅｓｃｒｉｐｔｏｒ（）に該当し得る。
【０２８２】
ＣＲＣ_３２フィールドは、当該テーブルセクションに含まれたデータにエラーがあるかを確認するために使用されるＣＲＣ値を示す。
【０２８３】
図２５は、本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）のシンタックスを示す図である。
【０２８４】
本発明の一実施例に係る放送網プログラムディスクリプタ及び／又はＩＰ網プログラムメタデータは、本発明の一実施例に係るＴＶＣＴのチャネルレベルディスクリプタ（ｃｈａｎｎｅｌ  ｌｅｖｅｌ  ｄｅｓｃｒｉｐｔｏｒ）に含まれてもよい。
【０２８５】
本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ_ｉｄフィールド、ｓｅｃｔｉｏｎ_ｓｙｎｔａｘ_ｉｎｄｉｃａｔｏｒフィールド、ｐｒｉｖａｔｅ_ｉｎｄｉｃａｔｏｒフィールド、ｓｅｃｔｉｏｎ_ｌｅｎｇｔｈフィールド、ｔｒａｎｓｐｏｒｔ_ｓｔｒｅａｍ_ｉｄフィールド、ｖｅｒｓｉｏｎ_ｎｕｍｂｅｒフィールド、ｃｕｒｒｅｎｔ_ｎｅｘｔ_ｉｎｄｉｃａｔｏｒフィールド、ｓｅｃｔｉｏｎ_ｎｕｍｂｅｒフィールド、ｌａｓｔ_ｓｅｃｔｉｏｎ_ｎｕｍｂｅｒフィールド、ｐｒｏｔｏｃｏｐ_ｖｅｒｓｉｏｎフィールド、ｎｕｍ_ｃｈａｎｎｅｌｓ_ｉｎ_ｓｅｃｔｉｏｎフィールド、ｓｈｏｒｔ_ｎａｍｅフィールド、ｍａｊｏｒ_ｃｈａｎｎｅｌ_ｎｕｍｂｅｒフィールド、ｍｉｎｏｒ_ｃｈａｎｎｅｌ_ｎｕｍｂｅｒフィールド、ｍｏｄｕｌａｔｉｏｎ ｍｏｄｅフィールド、ｃａｒｒｉｅｒ_ｆｒｅｑｕｅｎｃｙフィールド、ｃｈａｎｎｅｌ_ＴＳＩＤフィールド、ｐｒｏｇｒａｍ_ｎｕｍｂｅｒフィールド、ＥＴＭ_ｌｏｃａｔｉｏｎフィールド、ａｃｃｅｓｓ_ｃｏｎｔｒｏｌｌｅｄフィールド、ｈｉｄｄｅｎフィールド、ｈｉｄｅ_ｇｕｉｄｅフィールド、ｓｅｒｖｉｃｅ_ｔｙｐｅフィールド、ｓｏｕｒｃｅ_ｉｄフィールド、ｄｅｓｃｒｉｐｔｏｒｓ_ｌｅｎｇｔｈフィールド及び／又はｄｅｓｃｒｉｐｔｏｒ（）を含むことができる。
【０２８６】
ｔａｂｌｅ_ｉｄフィールドは、テーブルを識別する。
【０２８７】
ｓｅｃｔｉｏｎ_ｓｙｎｔａｘ_ｉｎｄｉｃａｔｏｒフィールドは、ＭＰＥＧ−２ ｐｒｉｖａｔｅ_ｓｅｃｔｉｏｎ ｔａｂｌｅのロング（ｌｏｎｇ）形態を示すために１にセットされる１ビットフィールドである。（This 1-bit field shall be set to ‘1’ to always indicate the “long” form of the MPEG-2private_section table.）
【０２８８】
ｐｒｉｖａｔｅ_ｉｎｄｉｃａｔｏｒフィールドは、１にセットされる１ビットフィールドである。（This 1-bit field shall be set to ‘1’.）
【０２８９】
ｓｅｃｔｉｏｎ_ｌｅｎｇｔｈフィールドは、このフィールドの後にあるテーブルセクションの長さをバイト数で示す。（This is a 12-bit field,the first two bits of which shall be “00”. It specifies the number of bytes of the section, starting immediately following the section_length field and including the CRC.The section_length shall not exceed1021so that the entire section has a maximum length of 1024 bytes.）
【０２９０】
ｔｒａｎｓｐｏｒｔ_ｓｔｒｅａｍ_ｉｄフィールドは、テーブル内にあるＭＰＥＧ−２伝送ストリーム（Ｔｒａｎｓｐｏｒｔ  Ｓｔｒｅｍａ：ＴＳ）の識別子を示す。（To distinguish each transport stream within a single network(terrestrial,cable or satellite)from another,MPEG-2 established the use of a16-bit(ranging from 0 to 65535)transport_stream_identifier,which is also called a TSID.)
【０２９１】
ｖｅｒｓｉｏｎ_ｎｕｍｂｅｒフィールドは、テーブルのバージョン番号を示す５ビットフィールドである。（This 5-bit field is the version number of the PSIP_section. The version_number shall be incremented by1modulo 32 when a change in the information carried within the PSIP_section occurs. When the current_next_indicator is set to ‘0’,then the version_number shall be that of the next applicable PSIP_section with the same table_id,table_id_extension,and section_number.)
【０２９２】
ｃｕｒｒｅｎｔ_ｎｅｘｔ_ｉｎｄｉｃａｔｏｒフィールドは、１ビットフィールドであって、このテーブルが現在適用可能であるか、それとも次に適用可能であるかを示す。（A 1-bit field,which when set to ‘1’ indicates that the PSIP_section sent is currently applicable. When the current_next_indicator is set to ‘1’,then the version_number shall be that of the currently applicable PSIP_section. When the bit is set to ‘0’,it indicates that the PSIP_section sent is not yet applicable and shall be the next PSIP_section with the same section_number,table_id_extension,and table_id to become valid.）
【０２９３】
ｓｅｃｔｉｏｎ_ｎｕｍｂｅｒフィールドは、セクションの番号を示す。（This 8-bit field gives the number of the PSIP_section. The section_number of the first section in a PSIP table shall be 0x00. The section_number shall be incremented by 1 with each additional section in PSIP table. The scope of the section_number shall be defined by the table_id and table_id_extension. That is,for each PSIP table and value of the table_id_extension field,there is the potential for the full range of section_number values.）
【０２９４】
ｌａｓｔ_ｓｅｃｔｉｏｎ_ｎｕｍｂｅｒフィールドは、最後のセクションの番号を識別する。（This 8-bit field specifies the number of the last section(that is,the section with the highest section_number) of the PSIP table of which this section is a part. Its scope is the same as for the section_number field.）
【０２９５】
ｐｒｏｔｏｃｏｐ_ｖｅｒｓｉｏｎフィールドは、現在のプロトコルで定義されたパラメータと異なるパラメータを伝送する現在のテーブルタイプを将来に許容するための機能を有するフィールドである。（An 8-bit unsigned integer field whose function is to allow, in the future, this table type to carry parameters that may be structured differently than those defined in the current protocol. At present, the only valid value for protocol_version is zero. Non-zero values of protocol_version may be used by a future version of this standard to indicate structurally different tables.)．
【０２９６】
ｎｕｍ_ｃｈａｎｎｅｌｓ_ｉｎ_ｓｅｃｔｉｏｎフィールドは、仮想チャネル解像度の個数を示す。（The num_channels_in_section field in ATSC Cable Virtual Channel table CVCT table sections is an eight-bit field that indicates the number of virtual channel definitions to follow in the table section.）
【０２９７】
ｓｈｏｒｔ_ｎａｍｅフィールドは、仮想チャネルのためのショートネーム（ｓｈｏｒｔ  ｎａｍｅ）を示す１１２ビットフィールドである。（The short_name field is a 112-bit field in ATSC CVCT table sections that gives the short_name for the virtual channel. Each letter of the short_name is formatted as a 16-bit Unicode character, with the high order byte transmitted first. So, short_name for TVCT and CVCT entries is seven Unicode characters, which short_name for SVCT entries is eight Unicode characters. If the display name is less than the number of permitted characters, 0/0x00 is appended to the end until the alloted number of bits has been reached.）
【０２９８】
ｍａｊｏｒ_ｃｈａｎｎｅｌ_ｎｕｍｂｅｒフィールドは、仮想チャネルと関連するメジャーチャネルの数を示す。（A 10-bit number that represents the "major" channel number associated with the virtual channel being defined in this iteration of the "for" loop. Each virtual channel shall be associated with a major and a minor channel number. The major channel number, along with the minor channel number, act as the user's reference number for the virtual channel. The major_channel_number shall be between 1 and 99. The value of major_channel_number shall be set such that in no case is a major_channel_number/ minor_channel_number pair duplicated within the TVCT.)
【０２９９】
ｍｉｎｏｒ_ｃｈａｎｎｅｌ_ｎｕｍｂｅｒフィールドは、仮想チャネルと関連するマイナーチャネルの数を示す。（A 10-bit number in the range 0 to 999 that represents the "minor" or "sub"- channel number. This field, together with major_channel_number, performs as a two-part channel number, where minor_channel_number represents the second or right-hand part of the number. When the service_type is analog television, minor_channel_number shall be set to 0.）
【０３００】
ｍｏｄｕｌａｔｉｏｎ ｍｏｄｅフィールドは、仮想チャネルの伝送キャリアに対する変調方式を示す。（The modulation_mode is an eight-bit field in a virtual channel entry tells receivers the modulation used to transmit individual channels.）
【０３０１】
ｃａｒｒｉｅｒ_ｆｒｅｑｕｅｎｃｙフィールドは、伝送仮想チャネルによって使用されるキャリア周波数情報を伝送する。（The carrier frequency is a32-bit field that transmits the carrier frequency used by the transport carrying the virtual channel.）
【０３０２】
ｃｈａｎｎｅｌ_ＴＳＩＤフィールドは、仮想チャネルと関連するＭＰＥＧ−２プログラムを伝送する伝送ストリーム（Ｔｒａｎｓｐｏｒｔ  Ｓｔｒｅａｍ：ＴＳ）に対するＭＰＥＧ−２ Ｔｒａｎｓｐｏｒｔ Ｓｔｒｅａｍ ＩＤを示す。（The channel_TSID is a 16-bit unsigned integer field that gives the transport_stream_id of the channel that carries (or for inactive channels, will carry) the virtual channel.）
【０３０３】
ｐｒｏｇｒａｍ_ｎｕｍｂｅｒフィールドは、ＴＳ内の各プログラムサービスまたは仮想チャネルを識別する。（The program_number is a 16-bit unsigned integer that uniquely identifies each program service(or virtual channel) present in a transport stream．）
【０３０４】
ＥＴＭ_ｌｏｃａｔｉｏｎフィールドは、チャネル、イベントまたはデータイベントのための拡張されたテキストメッセージが存在するか否かを示す。（The ETM_location field denotes whether there is an extended text message for the channel (Channel Extended Text table or CETT), event (Event Extended Text table) or data event (Data Extended Text table).)
【０３０５】
ａｃｃｅｓｓ_ｃｏｎｔｒｏｌｌｅｄフィールドは、当該仮想チャネルと関連するイベントが制御され得るか否かを示す。（When access_controlled is set to '1', means that events associated with this virtual channel may be access controlled. When set to '0', access to event is not controlled.)
【０３０６】
ｈｉｄｄｅｎフィールドは、当該チャネルが仮想チャネル数字の直接入力（ｄｉｒｅｃｔ  ｅｎｔｒｙ）（またはフィールド、属性、個体）によって接近できるか否かを意味する。(When hidden is set to ‘1', means the channel cannot be accessed by direct entry of the virtual channel number. When set to ‘0', virtual can be accessed by direct entry.)
【０３０７】
ｈｉｄｅ_ｇｕｉｄｅフィールドは、当該チャネルが仮想チャネル数字の直接入力（ｄｉｒｅｃｔ  ｅｎｔｒｙ）（またはフィールド、属性、個体）によって接近できるか否かを意味する。（When hide_guide is set to ‘1', means the channel cannot be accessed by direct entry of the virtual channel number. When set to ‘0', virtual can be accessed by direct entry.)
【０３０８】
ｓｅｒｖｉｃｅ_ｔｙｐｅフィールドは、仮想チャネルでセットされたサービスタイプを識別する。（The service_type is a 6-bit enumerated field that identifies the type of service set in the virtual channel．）ＵＨＤサービスのための一実施例として、サービスタイプ（ｓｅｒｖｉｃｅ  ｔｙｐｅ）は、ｐａｒａｍｅｔｅｒｉｚｅｄ ｓｅｒｖｉｃｅ（０ｘ０７）、ｅｘｔｅｎｄｅｄ ｐａｒａｍｅｔｅｒｉｚｅｄ ｓｅｒｖｉｃｅ（０ｘ０９）またはｎｅｗ ＤＴＶ ｓｅｒｖｉｃｅ−ｓｃａｌａｂｌｅ ＵＨＤＴＶ（０ｘ１０）に指定されてもよい。上述したサービス名称及び値（ｖａｌｕｅ）は一実施例であり、他の名称又は値に設定されてもよい。
【０３０９】
ｓｏｕｒｃｅ_ｉｄフィールドは、１６ビットの符号が定められていない整数であって、仮想チャネルと関連するプログラミングソースを示す。（A 16-bit unsigned integer number that identifies the programming source associated with the virtual channel. In this context, a source is one specific source of video, text, data, or audio programming. Source ID value zero is reserved. Source ID values in the range 0x0001 to 0x0FFF shall be unique within the Transport Stream that carries the VCT, while values 0x1000 to 0xFFFF shall be unique at the regional level. Values for source_ids 0x1000 and above shall be issued and administered by a Registration Authority designated by the ATSC.）
【０３１０】
ｄｅｓｃｒｉｐｔｏｒｓ_ｌｅｎｇｔｈフィールドは、次のディスクリプタフィールドのバイトの長さを伝送する。（The descriptors_length is a 10-bit unsigned integer field that signals the length in bytes of the descriptor field to follow. If there are no descriptors present, zero would be appropriate.）
【０３１１】
ｄｅｓｃｒｉｐｔｏｒ（）フィールドは、テーブル内に位置するディスクリプタループ（ｄｅｓｃｒｉｐｔｏｒ  ｌｏｏｐ）である。ディスクリプタループは、追加的なディスクリプタを含むことができる。本発明の一実施例に係る放送網プログラムディスクリプタ及び／又はＩＰ網プログラムディスクリプタが、上述したｄｅｓｃｒｉｐｔｏｒ（）に該当し得る。
【０３１２】
図２６は、本発明の一実施例に係るＣＶＣＴ（Ｃａｂｌｅ  Ｖｉｒｔｕａｌ  Ｃｈａｎｎｅｌ  Ｔａｂｌｅ）のシンタックスを示す図である。
【０３１３】
本発明の一実施例に係る放送網プログラムディスクリプタ及び／又はＩＰ網プログラムメタデータは、本発明の一実施例に係るＣＶＣＴのチャネルレベルディスクリプタ（ｃｈａｎｎｅｌ  ｌｅｖｅｌ  ｄｅｓｃｒｉｐｔｏｒ）に含まれてもよい。
【０３１４】
本発明の一実施例に係るＴＶＣＴ（Ｔｅｒｒｅｓｔｒｉａｌ  Ｖｉｒｔｕａｌ  Ｃｈａｎｎｅｌ  Ｔａｂｌｅ）は、ｔａｂｌｅ_ｉｄフィールド、ｓｅｃｔｉｏｎ_ｓｙｎｔａｘ_ｉｎｄｉｃａｔｏｒフィールド、ｐｒｉｖａｔｅ_ｉｎｄｉｃａｔｏｒフィールド、ｓｅｃｔｉｏｎ_ｌｅｎｇｔｈフィールド、ｔｒａｎｓｐｏｒｔ_ｓｔｒｅａｍ_ｉｄフィールド、ｖｅｒｓｉｏｎ_ｎｕｍｂｅｒフィールド、ｃｕｒｒｅｎｔ_ｎｅｘｔ_ｉｎｄｉｃａｔｏｒフィールド、ｓｅｃｔｉｏｎ_ｎｕｍｂｅｒフィールド、ｌａｓｔ_ｓｅｃｔｉｏｎ_ｎｕｍｂｅｒフィールド、ｐｒｏｔｏｃｏｐ_ｖｅｒｓｉｏｎフィールド、ｎｕｍ_ｃｈａｎｎｅｌｓ_ｉｎ_ｓｅｃｔｉｏｎフィールド、ｓｈｏｒｔ_ｎａｍｅフィールド、ｍａｊｏｒ_ｃｈａｎｎｅｌ_ｎｕｍｂｅｒフィールド、ｍｉｎｏｒ_ｃｈａｎｎｅｌ_ｎｕｍｂｅｒフィールド、ｍｏｄｕｌａｔｉｏｎ  ｍｏｄｅフィールド、ｃａｒｒｉｅｒ_ｆｒｅｑｕｅｎｃｙフィールド、ｃｈａｎｎｅｌ_ＴＳＩＤフィールド、ｐｒｏｇｒａｍ_ｎｕｍｂｅｒフィールド、ＥＴＭ_ｌｏｃａｔｉｏｎフィールド、ａｃｃｅｓｓ_ｃｏｎｔｒｏｌｌｅｄフィールド、ｈｉｄｄｅｎフィールド、ｐａｔｈ_ｓｅｌｅｃｔフィールド、ｏｕｔ_ｏｆ_ｂａｎｄフィールド、ｈｉｄｅ_ｇｕｉｄｅフィールド、ｓｅｒｖｉｃｅ_ｔｙｐｅフィールド、ｓｏｕｒｃｅ_ｉｄフィールド、ｄｅｓｃｒｉｐｔｏｒｓ_ｌｅｎｇｔｈフィールド及び／又はｄｅｓｃｒｉｐｔｏｒ（）を含むことができる。
【０３１５】
ｔａｂｌｅ_ｉｄフィールドは、テーブルを識別する。
【０３１６】
ｓｅｃｔｉｏｎ_ｓｙｎｔａｘ_ｉｎｄｉｃａｔｏｒフィールドは、ＭＰＥＧ−２ ｐｒｉｖａｔｅ_ｓｅｃｔｉｏｎ ｔａｂｌｅのロング（ｌｏｎｇ）形態を示すために１にセットされる１ビットフィールドである。（This 1-bit field shall be set to ‘1’ to always indicate the “long” form of the MPEG-2 private_section table．）
【０３１７】
ｐｒｉｖａｔｅ_ｉｎｄｉｃａｔｏｒフィールドは、１にセットされる１ビットフィールドである。（This 1-bit field shall be set to ‘1’．）
【０３１８】
ｓｅｃｔｉｏｎ_ｌｅｎｇｔｈフィールドは、このフィールドの後にあるテーブルセクションの長さをバイト数で示す。（This is a 12-bit field,the first two bits of which shall be “00”. It specifies the number of bytes of the section,starting immediately following the section_length field and including the CRC. The section_length shall not exceed 1021 so that the entire section has a maximum length of 1024 bytes.)
【０３１９】
ｔｒａｎｓｐｏｒｔ_ｓｔｒｅａｍ_ｉｄフィールドは、テーブル内にあるＭＰＥＧ−２伝送ストリーム（Ｔｒａｎｓｐｏｒｔ  Ｓｔｒｅｍａ：ＴＳ）の識別子を示す。（To distinguish each transport stream within a single network (terrestrial, cable or satellite) from another, MPEG-2 established the use of a 16-bit (ranging from 0 to 65535) transport_stream_identifier, which is also called a TSID.）
【０３２０】
ｖｅｒｓｉｏｎ_ｎｕｍｂｅｒフィールドは、テーブルのバージョン番号を示す５ビットフィールドである。（This 5-bit field is the version number of the PSIP_section. The version_number shall be incremented by 1 modulo 32 when a change in the information carried within the PSIP_section occurs. When the current_next_indicator is set to ‘0’,then the version_number shall be that of the next applicable PSIP_section with the same table_id,table_id_extension,and section_number．）
【０３２１】
ｃｕｒｒｅｎｔ_ｎｅｘｔ_ｉｎｄｉｃａｔｏｒフィールドは、１ビットフィールドであって、このテーブルが現在適用可能であるか、それとも次に適用可能であるかを示す。（A 1-bit field, which when set to ‘1' indicates that the PSIP_section sent is currently applicable. When the current_next_indicator is set to ‘1', then the version_number shall be that of the currently applicable PSIP_section. When the bit is set to ‘0', it indicates that the PSIP_section sent is not yet applicable and shall be the next PSIP_section with the same section_number, table_id_extension, and table_id to become valid.)
【０３２２】
ｓｅｃｔｉｏｎ_ｎｕｍｂｅｒフィールドは、セクションの番号を示す。（This 8-bit field gives the number of the PSIP_section. The section_number of the first section in a PSIP table shall be 0x00. The section_number shall be incremented by 1 with each additional section in PSIP table. The scope of the section_number shall be defined by the table_id and table_id_extension. That is, for each PSIP table and value of the table_id_extension field, there is the potential for the full range of section_number values.）
【０３２３】
ｌａｓｔ_ｓｅｃｔｉｏｎ_ｎｕｍｂｅｒフィールドは、最後のセクションの番号を識別する。（This 8-bit field specifies the number of the last section(that is,the section with the highest section_number) of the PSIP table of which this section is a part. Its scope is the same as for the section_number field.）
【０３２４】
ｐｒｏｔｏｃｏｐ_ｖｅｒｓｉｏｎフィールドは、現在のプロトコルで定義されたパラメータと異なるパラメータを伝送する現在のテーブルタイプを将来に許容するための機能を有するフィールドである。（An 8-bit unsigned integer field whose function is to allow, in the future, this table type to carry parameters that may be structured differently than those defined in the current protocol. At present, the only valid value for protocol_version is zero. Non-zero values of protocol_version may be used by a future version of this standard to indicate structurally different tables．）
【０３２５】
ｎｕｍ_ｃｈａｎｎｅｌｓ_ｉｎ_ｓｅｃｔｉｏｎフィールドは、仮想チャネル解像度の個数を示す。（The num_channels_in_section field in ATSC Cable Virtual Channel table CVCT table sections is an eight-bit field that indicates the number of virtual channel definitions to follow in the table section．）
【０３２６】
ｓｈｏｒｔ_ｎａｍｅフィールドは、仮想チャネルのためのショートネーム（ｓｈｏｒｔ  ｎａｍｅ）を示す１１２ビットフィールドである。（ The short_name field is a 112-bit field in ATSC CVCT table sections that gives the short_name for the virtual channel. Each letter of the short_name is formatted as a 16-bit Unicode character, with the high order byte transmitted first. So, short_name for TVCT and CVCT entries is seven Unicode characters, which short_name for SVCT entries is eight Unicode characters. If the display name is less than the number of permitted characters, 0/0x00 is appended to the end until the alloted number of bits has been reached.)
【０３２７】
ｍａｊｏｒ_ｃｈａｎｎｅｌ_ｎｕｍｂｅｒフィールドは、仮想チャネルと関連するメジャーチャネルの数を示す。（A 10-bit number that represents the "major" channel number associated with the virtual channel being defined in this iteration of the "for" loop. Each virtual channel shall be associated with a major and a minor channel number. The major channel number, along with the minor channel number, act as the user's reference number for the virtual channel. The major_channel_number shall be between 1 and 99. The value of major_channel_number shall be set such that in no case is a major_channel_number/ minor_channel_number pair duplicated within the TVCT.）
【０３２８】
ｍｉｎｏｒ_ｃｈａｎｎｅｌ_ｎｕｍｂｅｒフィールドは、仮想チャネルと関連するマイナーチャネルの数を示す。（A 10-bit number in the range 0 to 999 that represents the "minor" or "sub"- channel number. This field, together with major_channel_number, performs as a two-part channel number, where minor_channel_number represents the second or right-hand part of the number. When the service_type is analog television, minor_channel_number shall be set to 0.)
【０３２９】
ｍｏｄｕｌａｔｉｏｎ ｍｏｄｅフィールドは、仮想チャネルの伝送キャリアに対する変調方式を示す。（The modulation_mode is an eight-bit field in a virtual channel entry tells receivers the modulation used to transmit individual channels.）
【０３３０】
ｃａｒｒｉｅｒ_ｆｒｅｑｕｅｎｃｙフィールドは、伝送仮想チャネルによって使用されるキャリア周波数情報を伝送する。（The carrier frequency is a32-bit field that transmits the carrier frequency used by the transport carrying the virtual channel.）
【０３３１】
ｃｈａｎｎｅｌ_ＴＳＩＤフィールドは、仮想チャネルと関連するＭＰＥＧ−２プログラムを伝送する伝送ストリーム（Ｔｒａｎｓｐｏｒｔ  Ｓｔｒｅａｍ：ＴＳ）に対するＭＰＥＧ−２ Ｔｒａｎｓｐｏｒｔ Ｓｔｒｅａｍ ＩＤを示す。（The channel_TSID is a 16-bit unsigned integer field that gives the transport_stream_id of the channel that carries(or for inactive channels,will carry)the virtual channel.）
【０３３２】
ｐｒｏｇｒａｍ_ｎｕｍｂｅｒフィールドは、ＴＳ内の各プログラムサービスまたは仮想チャネルを識別する。（The program_number is a 16-bit unsigned integer that uniquely identifies each program service(or virtual channel) present in a transport stream．）
【０３３３】
ＥＴＭ_ｌｏｃａｔｉｏｎフィールドは、チャネル、イベントまたはデータイベントのための拡張されたテキストメッセージが存在するか否かを示す。（The ETM_location field denotes whether there is an extended text message for the channel(Channel Extended Text table or CETT),event(Event Extended Text table) or data event(Data Extended Text table)。）
【０３３４】
ａｃｃｅｓｓ_ｃｏｎｔｒｏｌｌｅｄフィールドは、当該仮想チャネルと関連するイベントが制御され得るか否かを示す。（When access_controlled is set to ‘1’,means that events associated with this virtual channel may be access controlled. When set to ‘0’,access to event is not controlled.）
【０３３５】
ｈｉｄｄｅｎフィールドは、当該チャネルが仮想チャネル数字の直接入力（ｄｉｒｅｃｔ  ｅｎｔｒｙ）（またはフィールド、属性、個体）によって接近できるか否かを意味する。（When hidden is set to ‘1’,means the channel cannot be accessed by direct entry of the virtual channel number. When set to ‘0’,virtual can be accessed by direct entry.）
【０３３６】
ｐａｔｈ_ｓｅｌｅｃｔフィールドは、仮想チャネルを活性化チャネルの伝送パスと関連させるＣＶＣＴ内のフィールドである。（The path_select is a 1-bit field in a Cable Virtual Channel table (CVCT) entry that associates a virtual channel with a transmission path of an active channel or when the channel will be active．）
【０３３７】
ｏｕｔ_ｏｆ_ｂａｎｄフィールドは、仮想チャネルがＯＯＢ（Ｏｕｔ−Ｏｆ−Ｂａｎｄ）物理的伝送チャネルで伝送されるか否かを示す。（The out_of_band is a 1-bit Boolean field in a Cable Virtual Channel table entry that when set to ‘1' is carried on the out-of-band physical transmission channel. When clear or ‘0', the virtual channel is carried within a tuned multiplex. When the channel is inactive, out_of_band reflects the channel that will be valid when the channel is again active.）
【０３３８】
ｈｉｄｅ_ｇｕｉｄｅフィールドは、当該チャネルが仮想チャネル数字の直接入力（ｄｉｒｅｃｔ  ｅｎｔｒｙ）（またはフィールド、属性、個体）によって接近できるか否かを意味する。（When hide_guide is set to ‘1’,means the channel cannot be accessed by direct entry of the virtual channel number. When set to ‘0’,virtual can be accessed by direct entry．）
【０３３９】
ｓｅｒｖｉｃｅ_ｔｙｐｅフィールドは、仮想チャネルでセットされたサービスタイプを識別する。（The service_type is a 6-bit enumerated field that identifies the type of service set in the virtual channel．）ＵＨＤサービスのための一実施例として、サービスタイプ（ｓｅｒｖｉｃｅ  ｔｙｐｅ）は、ｐａｒａｍｅｔｅｒｉｚｅｄ ｓｅｒｖｉｃｅ（０ｘ０７）、ｅｘｔｅｎｄｅｄ ｐａｒａｍｅｔｅｒｉｚｅｄ ｓｅｒｖｉｃｅ（０ｘ０９）またはｎｅｗ ＤＴＶ ｓｅｒｖｉｃｅ−ｓｃａｌａｂｌｅ ＵＨＤＴＶ（０ｘ１０）に指定されてもよい。上述したサービス名称及び値（ｖａｌｕｅ）は一実施例であり、他の名称または値に設定されてもよい。
【０３４０】
ｓｏｕｒｃｅ_ｉｄフィールドは、１６ビットの符号が定められていない整数であって、仮想チャネルと関連するプログラミングソースを示す。（A 16-bit unsigned integer number that identifies the programming source associated with the virtual channel. In this context, a source is one specific source of video, text, data, or audio programming. Source ID value zero is reserved. Source ID values in the range 0x0001 to 0x0FFF shall be unique within the Transport Stream that carries the VCT, while values 0x1000 to 0xFFFF shall be unique at the regional level. Values for source_ids 0x1000 and above shall be issued and administered by a Registration Authority designated by the ATSC.）
【０３４１】
ｄｅｓｃｒｉｐｔｏｒｓ_ｌｅｎｇｔｈフィールドは、次のディスクリプタフィールドのバイトの長さを伝送する。（The descriptors_length is a 10-bit unsigned integer field that signals the length in bytes of the descriptor field to follow. If there are no descriptors present,zero would be appropriate.）
【０３４２】
ｄｅｓｃｒｉｐｔｏｒ（）フィールドは、テーブル内に位置するディスクリプタループ（ｄｅｓｃｒｉｐｔｏｒ  ｌｏｏｐ）である。ディスクリプタループは、追加的なディスクリプタを含むことができる。本発明の一実施例に係る放送網プログラムディスクリプタ及び／又はＩＰ網プログラムディスクリプタが、上述したｄｅｓｃｒｉｐｔｏｒ（）に該当し得る。
【０３４３】
本発明の一実施例によれば、ケーブル放送の場合にＯＯＢ−ＳＩが伝送される場合、チャネルレベル（ｃｈａｎｎｅｌ  ｌｅｖｅｌ）で放送網プログラムディスクリプタ及び／又はＩＰ網プログラムディスクリプタが含まれてもよい。
【０３４４】
図２７は、本発明の一実施例に係る高画質ＵＨＤ放送コンテンツ送信方法を示す図である。
【０３４５】
本発明の一実施例によれば、高画質ＵＨＤ放送コンテンツは、次のような過程を経て送信されてもよい。まず、送信側は、基本画質ＵＨＤ放送プログラムを構成する基本階層のデータ、基本階層のデータをベースとして高画質ＵＨＤ放送プログラムを提供するために必要な付加情報を含む１つ以上の向上階層のデータ、放送網を介して伝送される高画質ＵＨＤ放送プログラムに対する情報を含む放送網プログラムメタデータ、及びＩＰ網を介して伝送される高画質ＵＨＤ放送プログラムに対する情報を含むＩＰ網プログラムメタデータをエンコーディングする（Ｓ２７０１０）。次の過程で、送信側は、エンコーディングされた基本階層のデータ、及び／又は１つ以上の向上階層のうち第１向上階層のデータを放送パケットにパケット化し、エンコーディングされた１つ以上の向上階層のうち第２向上階層のデータをＩＰパケットにパケット化する（Ｓ２７０２０）。最後に、送信側は、上述した過程でパケット化された放送パケットは放送網を介して伝送し、ＩＰパケットはＩＰ網を介して伝送する（Ｓ２７０３０）。ここで、送信過程に対する詳細な説明は、本明細書の図１乃至図３及び図５に対する説明部分に代える。そして、上述した放送網プログラムメタデータ及びＩＰ網プログラムメタデータに対する詳細な説明は、本明細書の図９、図１５、図１７、図２０に対する説明部分に代える。
【０３４６】
本発明の更に他の一実施例によれば、放送網プログラムメタデータは、放送網を介して伝送される階層のデータによって最終的に提供され得るＵＨＤ放送プログラムの種類を示すプログラムタイプ情報、放送網を介して伝送される階層の個数を示す階層個数情報、放送網を介して伝送される階層組み合わせの個数を示す階層組み合わせ個数情報及び／又は放送網を介して伝送される階層の組み合わせ情報を示す階層組み合わせタイプ情報を含むことができる。上述した放送網プログラムメタデータに含まれた情報についての詳細な説明は、本明細書の図９、図１５に対する説明部分に代える。
【０３４７】
本発明の更に他の一実施例によれば、放送網プログラムメタデータは、放送網を介して伝送される各階層を識別する階層識別情報、放送網を介して伝送される各階層で使用するコーデックの種類を示す階層エンコーディングタイプ情報、放送網を介して伝送される各階層のデータが含まれた単位ストリームのパケット識別情報を示す階層単位ストリームパケット識別情報及び／又は放送網を介して伝送される各階層で同時に提供できる拡張可能な（ｓｃａｌａｂｌｅ）項目を示す拡張可能タイプ情報を含むことができる。上述した放送網プログラムメタデータに含まれた情報に対する詳細な説明は、本明細書の図９、図１５に対する説明部分に代える。
【０３４８】
本発明の更に他の一実施例によれば、ＩＰ網プログラムメタデータは、ＩＰ網を介して伝送される階層のデータが拡張可能な（ｓｃａｌａｂｌｅ）コーデックでエンコーディングされたか否かを示す拡張可能フラグ情報、ＩＰ網を介して伝送される階層の個数を示すＩＰ網階層個数情報、ＩＰ網を介して伝送される階層組み合わせの個数を示すＩＰ網階層組み合わせ個数情報及び／又はＩＰ網を介して伝送される階層の組み合わせ情報を示すＩＰ網階層組み合わせタイプ情報を含むことができる。上述したＩＰ網プログラムメタデータに含まれた情報に対する詳細な説明は、本明細書の図１７、図２０に対する説明部分に代える。
【０３４９】
本発明の更に他の一実施例によれば、ＩＰ網プログラムメタデータは、ＩＰ網を介して伝送される各階層を識別するＩＰ網階層識別情報、ＩＰ網を介して伝送される各階層のデータが含まれた単位ストリームのパケット識別情報を示すＩＰ網単位ストリームパケット識別情報及び／又はＩＰ網を介して伝送される各階層のデータの伝送経路に対する情報を示すインターネット接続情報を含むことができる。上述したＩＰ網プログラムメタデータに含まれた情報に対する詳細な説明は、本明細書の図１７、図２０に対する説明部分に代える。
【０３５０】
本発明の更に他の一実施例によれば、インターネット接続情報は、ＩＰ網を介して伝送される各階層のデータを受信できるＩＰアドレスのタイプを示すＩＰアドレスタイプ情報、前記ＩＰアドレスタイプ情報によるＩＰアドレスタイプを有するＩＰアドレスを示すＩＰアドレス情報、及び／又はＩＰ網を介して伝送される各階層のデータを受信できるＵＤＰポートナンバーを示すポートナンバー情報を含むことができる。上述したインターネット接続情報に含まれた情報に対する詳細な説明は、本明細書の図１９に対する説明部分に代える。
【０３５１】
本発明の更に他の一実施例によれば、放送網プログラムメタデータ及びＩＰ網プログラムメタデータは、ディスクリプタの形態でＰＭＴ、ＳＤＴ、ＥＩＴ、ＴＶＣＴまたはＣＶＣＴに含まれて伝送されてもよい。上述したＰＭＴ、ＳＤＴ、ＥＩＴ、ＴＶＣＴ及びＣＶＣＴに対する詳細な説明は、本明細書の図２２乃至図２６に対する説明部分に代える。
【０３５２】
説明の便宜のため、各図を個別に説明したが、各図に開示した実施例を組み合わせて新しい実施例として具現するように設計することも可能である。そして、当業者の必要に応じて、以前に説明された実施例を実行するためのプログラムが記録されているコンピュータで読み取り可能な記録媒体を設計することも、本発明の権利範囲に属する。
【０３５３】
本発明に係る装置及び方法は、上述したように、説明された実施例の構成と方法に限定されて適用されるものではなく、上述した実施例は、様々な変形が可能なように、各実施例の全部又は一部が選択的に組み合わされて構成されてもよい。
【０３５４】
一方、本発明の映像処理方法は、ネットワークデバイスに具備された、プロセッサが読み取り可能な記録媒体に、プロセッサが読み取り可能なコードとして具現することができる。プロセッサが読み取り可能な記録媒体は、プロセッサによって読み取られるデータが格納されるいかなる種類の記録装置をも含む。プロセッサが読み取り可能な記録媒体の例には、ＲＯＭ、ＲＡＭ、ＣＤ−ＲＯＭ、磁気テープ、フロッピーディスク、光データ格納装置などがあり、また、インターネットを介した伝送などのようなキャリアウェーブの形態で具現されるものも含む。また、プロセッサが読み取り可能な記録媒体は、ネットワークで接続されたコンピュータシステムに分散されて、分散方式でプロセッサが読み取り可能なコードが格納され、実行されてもよい。
【０３５５】
また、以上では、本発明の好適な実施例について図示及び説明したが、本発明は、上述した特定の実施例に限定されず、特許請求の範囲で請求する本発明の要旨を逸脱することなく、当該発明の属する技術分野における通常の知識を有する者によって、様々な変形実施が可能であることはもちろんであり、このような変形実施は、本発明の技術的思想や展望から個別的に理解されてはならない。
【０３５６】
そして、当該明細書では、物の発明及び方法の発明の両方が説明されており、必要に応じて、両発明の説明は補充的に適用されてもよい。
〔発明の実施のための形態〕
【０３５７】
発明の実施のための形態は、上述したように、発明を実施するための最良の形態で説明した。
【産業上の利用可能性】
【０３５８】
本発明は、放送産業全般で利用可能である。
【図１】
0006261741.tif 000002
【図２】
0006261741.tif 000003
【図３】
0006261741.tif 000004
【図４】
0006261741.tif 000005
【図５】
0006261741.tif 000006
【図６】
0006261741.tif 000007
【図７】
0006261741.tif 000008
【図８】
0006261741.tif 000009
【図９】
0006261741.tif 000010
【図１０】
0006261741.tif 000011
【図１１】
0006261741.tif 000012
【図１２】
0006261741.tif 000013
【図１３】
0006261741.tif 000014
【図１４】
0006261741.tif 000015
【図１５】
0006261741.tif 000016
【図１６】
0006261741.tif 000017
【図１７】
0006261741.tif 000018
【図１８】
0006261741.tif 000019
【図１９】
0006261741.tif 000020
【図２０】
0006261741.tif 000021
【図２１】
0006261741.tif 000022
【図２２】
0006261741.tif 000023
【図２３】
0006261741.tif 000024
【図２４】
0006261741.tif 000025
【図２５】
0006261741.tif 000026
【図２６】
0006261741.tif 000027
【図２７】
0006261741.tif 000028